(57)【要約】  ネットワークを介して同一の識別子に紐付けられた複数の機器（１０１）から複数の機器（１０１）の使用状況に関するログ情報を収集する制御システムにおける情報管理方法は、ログ情報をサービス事業者に提供するか否かを示す可否情報を複数の機器（１０１）の各々から受信するステップ（Ｓ１）と、可否情報によってログ情報をサービス事業者に提供すると示された機器を示す第１画像と可否情報によってログ情報をサービス事業者に提供しないと示された機器を示す第２画像とを互いに異なる表示態様で表示させるコマンドを、識別子に紐付けられた表示機器（１０３）からのアクセスに応じて表示機器（１０３）に提供するステップ（Ｓ２）とを含む。
2014119255.tif 000002
【特許請求の範囲】
【請求項１】
ネットワークを介して同一の識別子に紐付けられた複数の機器から前記複数の機器の使用状況に関するログ情報を収集する制御システムにおける情報管理方法であって、
前記ログ情報をサービス事業者に提供するか否かを示す可否情報を前記複数の機器の各々から受信し、
前記可否情報によって前記ログ情報をサービス事業者に提供すると示された機器を示す第１画像と前記可否情報によって前記ログ情報をサービス事業者に提供しないと示された機器を示す第２画像とを互いに異なる表示態様で表示させるコマンドを、前記識別子に紐付けられた表示機器からのアクセスに応じて前記表示機器に提供する、
情報管理方法。
【請求項２】
前記コマンドを生成する、
請求項１記載の情報管理方法。
【請求項３】
前記第１画像及び前記第２画像を互いに異なる表示態様で前記表示機器に表示する、
請求項１又は２記載の情報管理方法。
【請求項４】
前記表示態様は、前記第１画像の輝度と前記第２画像の輝度とを互いに異ならせる、
請求項１〜３のいずれかに記載の情報管理方法。
【請求項５】
前記表示態様は、前記第１画像の大きさと前記第２画像の大きさとを互いに異ならせる、
請求項１〜４のいずれかに記載の情報管理方法。
【請求項６】
前記ログ情報をサービス事業者に提供すると示された機器から前記ログ情報を受信し、
受信された前記ログ情報に基づいて、前記ログ情報をサービス事業者に提供しないと示された複数の機器のうち、前記ログ情報をサービス事業者に提供すべき機器の優先順位を決定し、
決定された前記優先順位に応じて前記第２画像を表示させるコマンドを前記表示機器に提供する、
請求項１〜５のいずれかに記載の情報管理方法。
【請求項７】
前記複数の第２画像は、前記優先順位が高い順に、前記表示機器の表示画面の上部から下部に向かって又は表示画面の左部から右部に向かって表示される、
請求項６記載の情報管理方法。
【請求項８】
前記ログ情報をサービス事業者に提供すると示された機器から前記ログ情報を受信し、
受信された前記ログ情報に基づいて、前記ログ情報をサービス事業者に提供しないと示された機器が、前記ログ情報をサービス事業者に提供すると示された際に前記ユーザに提供されるサービスを決定し、
決定された前記サービスを表示させるコマンドを前記表示機器に提供する、
請求項１〜７のいずれかに記載の情報管理方法。
【請求項９】
前記ログ情報をサービス事業者に提供すると示された機器は、テレビを含み、
前記ログ情報は、前記テレビの視聴履歴を含み、
前記サービスは、前記視聴履歴から得られる視聴傾向に基づき決定される、
請求項８記載の情報管理方法。
【請求項１０】
前記識別子は、第１の識別子と、前記第１の識別子とは異なる第２の識別子とを含み、
前記第１の識別子に紐付けられるとともに前記ログ情報をサービス事業者に提供すると示された第１の機器に関連する前記第２の識別子に紐付けられた第２の機器に関する情報を表示させるコマンドを提供する、
請求項１〜９のいずれかに記載の情報管理方法。
【請求項１１】
前記第１の機器の型番と前記第２の機器の型番とは同一であり、
前記第２の機器に関する情報は、前記第２の機器の個数である、
請求項１０記載の情報管理方法。
【請求項１２】
ネットワークを介して同一の識別子に紐付けられた複数の機器から前記複数の機器の使用状況に関するログ情報を収集する制御システムであって、
前記ログ情報をサービス事業者に提供するか否かを示す可否情報を前記複数の機器の各々から受信する可否情報受信部と、
前記可否情報によって前記ログ情報をサービス事業者に提供すると示された機器を示す第１画像と前記可否情報によって前記ログ情報をサービス事業者に提供しないと示された機器を示す第２画像とを互いに異なる表示態様で表示させるコマンドを、前記識別子に紐付けられた表示機器からのアクセスに応じて前記表示機器に提供するコマンド提供部とを備える、
制御システム。
【請求項１３】
ネットワークを介して同一の識別子に紐付けられた複数の機器から前記複数の機器の使用状況に関するログ情報を収集する制御システムに用いる表示機器の制御方法であって、
前記表示機器に対して、
前記識別子に紐付けられた複数の機器の中で前記ログ情報をサービス事業者に提供する機器を示す情報と、前記識別子に紐付けられた複数の機器の中で前記ログ情報をサービス事業者に提供しない機器を示す情報とを管理するサーバに対して管理内容を確認するための指示を前記識別子に対応するユーザから受け付けさせ、
受け付けた前記指示に基づいて前記サーバにアクセスさせ、
前記アクセスに応じて前記サーバから、前記識別子に紐付けられた複数の機器の中で前記ログ情報をサービス事業者に提供すると示された機器を示す第１画像と、前記識別子に紐付けられた複数の機器の中で前記ログ情報をサービス事業者に提供しないと示された機器を示す第２画像とを互いに異なる表示態様で表示させるコマンドを受信させ、
受信した前記コマンドに基づき、表示画面上に、前記第１画像と前記第２画像とを互いに異なる表示態様で表示させる、
表示機器の制御方法。
【発明の詳細な説明】
【技術分野】
【０００１】
本発明は、情報管理方法、制御システム及び表示機器の制御方法に関するものである。
【背景技術】
【０００２】
従来、インターネット網を利用して家庭にある複数の機器を検索及び操作するシステムがある。このシステムでは、不正アクセスにより個人情報が漏洩することを防止する必要がある。例えば、特許文献１には、機器情報を外部へ公開する機器と機器情報を外部に公開しない機器とをあらかじめ設定しておくことで、不正アクセスによる情報漏洩を軽減する技術が開示されている。【０００３】
しかし、家庭内の機器から使用状況に関するログ情報を取得し、ログ情報に基づくサービスを提供するシステムにおいては、情報管理の向上のため、さらなる検討が必要とされていた。
【先行技術文献】
【特許文献】
【０００４】
【特許文献１】特開２００１−０６０９７２号公報
【発明の概要】
【０００５】
上記課題を解決するため、本開示の一態様に係る情報管理方法は、ネットワークを介して同一の識別子に紐付けられた複数の機器から前記複数の機器の使用状況に関するログ情報を収集する制御システムにおける情報管理方法であって、前記ログ情報をサービス事業者に提供するか否かを示す可否情報を前記複数の機器の各々から受信し、前記可否情報によって前記ログ情報をサービス事業者に提供すると示された機器を示す第１画像と前記可否情報によって前記ログ情報をサービス事業者に提供しないと示された機器を示す第２画像とを互いに異なる表示態様で表示させるコマンドを、前記識別子に紐付けられた表示機器からのアクセスに応じて前記表示機器に提供する。
【０００６】
これにより、制御システムにおける情報管理を向上させることができる。
【図面の簡単な説明】
【０００７】
【図１】（Ａ）は、本実施の形態における制御システムが提供するサービスの全体像を示す図であり、（Ｂ）は、機器メーカがデータセンタ運営会社に該当する例を示す図であり、（Ｃ）は、機器メーカ及び管理会社の両者又はいずれか一方がデータセンタ運営会社に該当する例を示す図である。
【図２】図１に示す各機器の構成を示す図である。
【図３】本実施の形態１における制御システムの構成を示す図である。
【図４】本実施の形態１の制御システムの制御方法を示すフローチャートである。
【図５】本実施の形態１の制御システムの具体的な動作例を説明するためのシーケンス図である。
【図６】図５のステップＳ１０３においてクラウドサーバが複数の機器のうちの機器Ａから受信する情報の一例を示す図である。
【図７】図５のステップＳ１０３においてクラウドサーバが複数の機器のうちの機器Ｂから受信する情報の一例を示す図である。
【図８】クラウドサーバで整理された情報の一例を示す図である。
【図９】クラウドサーバで生成されたコマンドの一例を示す図である。
【図１０】クラウドサーバで生成された他のコマンドの一例を示す図である。
【図１１】本実施の形態１において表示機器に表示される画面の一例を示す図である。
【図１２】本実施の形態１において表示機器に表示される画面の第１の変形例を示す図である。
【図１３】本実施の形態１において表示機器に表示される画面の第２の変形例を示す図である。
【図１４】情報提供度合を含む情報の一例を示す図である。
【図１５】本実施の形態１において表示機器に表示される画面の第３の変形例を示す図である。
【図１６】本実施の形態１において表示機器に表示される画面の第４の変形例を示す図である。
【図１７】図１６に示す表示画面において、ログ情報を提供しないと設定されている機器を示す画像上にカーソルが移動された際に表示される画面を示す図である。
【図１８】図１６に示す表示画面において、インターネットに接続されていない機器を示す画像上にカーソルが移動された際に表示される画面を示す図である。
【図１９】図１６に示す表示画面において、ユーザが所有していない機器を示す画像上にカーソルが移動された際に表示される画面を示す図である。
【図２０】本実施の形態２における制御システムの構成を示す図である。
【図２１】本実施の形態２の制御システムの制御方法を示すフローチャートである。
【図２２】本実施の形態２の制御システムの具体的な動作例を説明するためのシーケンス図である。
【図２３】機器Ａから取得したログ情報の一例を示す図である。
【図２４】クラウドサーバにおいてログ情報に基づいて生成される情報の一例を示す図である。
【図２５】視聴傾向パターンと機器の優先順位とを対応付けたテーブルの一例を示す図である。
【図２６】ログ情報を提供する機器と優先順位とを対応付けたテーブルの一例を示す図である。
【図２７】本実施の形態２において表示機器に表示される画面の一例を示す図である。
【図２８】本実施の形態３における制御システムの構成を示す図である。
【図２９】本実施の形態３の制御システムの制御方法を示すフローチャートである。
【図３０】本実施の形態３の制御システムの具体的な動作例を説明するためのシーケンス図である。
【図３１】サービスを決定するためのテーブルの一例を示す図である。
【図３２】本実施の形態３において表示機器に表示される画面の一例を示す図である。
【図３３】スマートフォンのログ情報の提供が許可された場合に提供されるサービスを決定する際にテレビ及び冷蔵庫から取得したログ情報を表示する画面の一例を示す図である。
【図３４】エアコンのログ情報の提供が許可された場合に提供されるサービスを決定する際にテレビから取得したログ情報を表示する画面の一例を示す図である。
【図３５】本実施の形態４における制御システムの全体構成を示す図である。
【図３６】本実施の形態４における制御システムの構成を示す図である。
【図３７】本実施の形態４の制御システムの制御方法を示すフローチャートである。
【図３８】本実施の形態４の制御システムの具体的な動作例を説明するためのシーケンス図である。
【図３９】クラウドサーバによって特定された関連機器に関する情報を示す図である。
【図４０】本実施の形態４において表示機器に表示される画面の一例を示す図である。
【図４１】本実施の形態４において表示機器に表示される画面の他の例を示す図である。
【図４２】サービスの類型１（自社データセンタ型クラウドサービス）における情報提供システムが提供するサービスの全体像を示す図である。
【図４３】サービスの類型２（ＩａａＳ利用型クラウドサービス）における情報提供システムが提供するサービスの全体像を示す図である。
【図４４】サービスの類型３（ＰａａＳ利用型クラウドサービス）における情報提供システムが提供するサービスの全体像を示す図である。
【図４５】サービスの類型４（ＳａａＳ利用型クラウドサービス）における情報提供システムが提供するサービスの全体像を示す図である。
【発明を実施するための形態】
【０００８】
（本発明の基礎となった知見）
近年、家庭内の機器から使用状況に関するログ情報を取得し、取得したログ情報を分析してユーザにフィードバックするサービスが検討されている。しかし、ユーザにとって機器の使用状況に関するログ情報は個人情報に類する情報としての側面があるため、ログ情報を提供することには心理的な抵抗があると考えられる。一方で、サービスを提供するサービスプロバイダにとって、機器の使用状況に関するログ情報は、提供するサービスの向上に活用できる情報であると考えられる。よってユーザへの心理的な抵抗を低減しつつ機器の使用状況に関するログ情報の提供を促すシステムを開発する必要がある。
【０００９】
特許文献１の技術は、単に、機器情報を外部に公開する電子機器と、機器情報を外部に公開しない電子機器とを予め設定するだけである。そのため、特許文献１では、機器情報を外部に公開するか否かを設定した後に設定内容を変更したい場合又は新たに電子機器を追加したい場合、既に機器情報を外部に公開すると設定した電子機器又は既に機器情報を外部に公開しないと設定した電子機器はどれであったかを簡易に確認する手段について検討されていない。
【００１０】
そのため、従来技術では、機器情報を外部に公開するか否かを設定した後に設定内容がユーザの意図に沿わない場合又は家電機器の増加により設定登録数が増加した場合に、設定内容を簡易に且つ間違えなく確認して、設定内容を修正することができないと考えられる。
【００１１】
また、例えば、ユーザの立場に立てば、既に機器情報を外部に公開しないと設定した機器に関して機器情報を外部に公開するように設定を変更したい場合もある。一方、サービスプロバイダ側の立場に立てば、既に機器情報を外部に公開しないと設定した機器に関して機器情報を外部に公開するように設定変更を促したい場合もある。これらの場合については、特許文献１では検討されていない。
【００１２】
このような課題を解決するために、本発明者は、以下の態様に係る発明を想到するに至った。
【００１３】
本発明の一態様に係る情報管理方法は、ネットワークを介して同一の識別子に紐付けられた複数の機器から前記複数の機器の使用状況に関するログ情報を収集する制御システムにおける情報管理方法であって、前記ログ情報をサービス事業者に提供するか否かを示す可否情報を前記複数の機器の各々から受信し、前記可否情報によって前記ログ情報をサービス事業者に提供すると示された機器を示す第１画像と前記可否情報によって前記ログ情報をサービス事業者に提供しないと示された機器を示す第２画像とを互いに異なる表示態様で表示させるコマンドを、前記識別子に紐付けられた表示機器からのアクセスに応じて前記表示機器に提供する。
【００１４】
これにより、ユーザは、家庭などのグループ内の複数の機器のうち、ログ情報を提供している機器と、ログ情報を提供していない機器とを簡単に把握することができる。ユーザは各機器の設定内容を確認するために、各機器の操作インターフェースを確認する必要がない。すなわち、設定内容の確認作業という余計な動作を不要にすることができる。
【００１５】
加えて、可否情報によってログ情報をサービス事業者に提供すると示された機器を示す第１画像のみならず、可否情報によってログ情報をサービス事業者に提供しないと示された機器を示す第２画像も表示される。したがって、すでにログ情報をサービス事業者に提供しないと設定された機器の設定内容を、ログ情報をサービス事業者に提供するように変更することをユーザに促すこともできる。
【００１６】
また、本発明の他の態様に係る情報管理方法は、ネットワークを介して同一の識別子に紐付けられた複数の機器から前記複数の機器の使用状況に関するログ情報を収集する制御システムにおける情報管理方法であって、前記ログ情報をサービス事業者に提供するか否かを示す可否情報を前記複数の機器の各々から受信し、前記可否情報によって前記ログ情報をサービス事業者に提供すると示された機器を示す第１画像と前記可否情報によって前記ログ情報をサービス事業者に提供しないと示された機器を示す第２画像とを互いに異なる表示態様で前記識別子に紐付けられた表示機器に表示するコマンドを提供する。
【００１７】
また、本発明の他の態様に係る情報管理方法は、ネットワークを介して同一の識別子に紐付けられた複数の機器から前記複数の機器の使用状況に関するログ情報を収集する制御システムにおける情報管理方法であって、前記ログ情報をサービス事業者に提供するか否かを示す可否情報を前記複数の機器の各々から受信し、前記可否情報によって前記ログ情報をサービス事業者に提供すると示された機器を示す第１画像と前記可否情報によって前記ログ情報をサービス事業者に提供しないと示された機器を示す第２画像とを互いに異なる表示態様で表示する表示画面を、前記識別子に紐付けられた表示機器からのアクセスに応じて前記表示機器に提供する。
【００１８】
なお、上記態様において、前記コマンドを生成してもよい。
【００１９】
なお、上記態様において、前記第１画像及び前記第２画像を互いに異なる表示態様で前記表示機器に表示してもよい。
【００２０】
なお、上記態様において、前記表示態様は、前記第１画像の輝度と前記第２画像の輝度とを互いに異ならせてもよい。
【００２１】
なお、上記態様において、前記表示態様は、前記第１画像の大きさと前記第２画像の大きさとを互いに異ならせてもよい。
【００２２】
なお、上記態様において、前記ログ情報をサービス事業者に提供すると示された機器から前記ログ情報を受信し、受信された前記ログ情報に基づいて、前記ログ情報をサービス事業者に提供しないと示された複数の機器のうち、前記ログ情報をサービス事業者に提供すべき機器の優先順位を決定し、決定された前記優先順位に応じて前記第２画像を表示させるコマンドを前記表示機器に提供してもよい。
【００２３】
なお、上記態様において、前記複数の第２画像は、前記優先順位が高い順に、前記表示機器の表示画面の上部から下部に向かって又は表示画面の左部から右部に向かって表示されてもよい。
【００２４】
なお、上記態様において、前記ログ情報をサービス事業者に提供すると示された機器から前記ログ情報を受信し、受信された前記ログ情報に基づいて、前記ログ情報をサービス事業者に提供しないと示された機器が、前記ログ情報をサービス事業者に提供すると示された際に前記ユーザに提供されるサービスを決定し、決定された前記サービスを表示させるコマンドを前記表示機器に提供してもよい。
【００２５】
なお、上記態様において、前記ログ情報をサービス事業者に提供すると示された機器は、テレビを含み、前記ログ情報は、前記テレビの視聴履歴を含み、前記サービスは、前記視聴履歴から得られる視聴傾向に基づき決定されてもよい。
【００２６】
なお、上記態様において、前記識別子は、第１の識別子と、前記第１の識別子とは異なる第２の識別子とを含み、前記第１の識別子に紐付けられるとともに前記ログ情報をサービス事業者に提供すると示された第１の機器に関連する前記第２の識別子に紐付けられた第２の機器に関する情報を表示させるコマンドを提供してもよい。
【００２７】
なお、上記態様において、前記第１の機器の型番と前記第２の機器の型番とは同一であり、前記第２の機器に関する情報は、前記第２の機器の個数であってもよい。
【００２８】
また、本発明の他の態様に係る制御システムは、ネットワークを介して同一の識別子に紐付けられた複数の機器から前記複数の機器の使用状況に関するログ情報を収集する制御システムであって、前記ログ情報をサービス事業者に提供するか否かを示す可否情報を前記複数の機器の各々から受信する可否情報受信部と、前記可否情報によって前記ログ情報をサービス事業者に提供すると示された機器を示す第１画像と前記可否情報によって前記ログ情報をサービス事業者に提供しないと示された機器を示す第２画像とを互いに異なる表示態様で表示させるコマンドを、前記識別子に紐付けられた表示機器からのアクセスに応じて前記表示機器に提供するコマンド提供部とを備える。
【００２９】
また、本発明の他の態様に係る制御システムは、ネットワークを介して同一の識別子に紐付けられた複数の機器から前記複数の機器の使用状況に関するログ情報を収集する制御システムであって、前記ログ情報をサービス事業者に提供するか否かを示す可否情報を前記複数の機器の各々から受信する可否情報受信部と、前記可否情報によって前記ログ情報をサービス事業者に提供すると示された機器を示す第１画像と前記可否情報によって前記ログ情報をサービス事業者に提供しないと示された機器を示す第２画像とを互いに異なる表示態様で前記識別子に紐付けられた表示機器に表示させるコマンドを提供するコマンド提供部とを備える。
【００３０】
また、本発明の他の態様に係る制御システムは、ネットワークを介して同一の識別子に紐付けられた複数の機器から前記複数の機器の使用状況に関するログ情報を収集する制御システムであって、前記ログ情報をサービス事業者に提供するか否かを示す可否情報を前記複数の機器の各々から受信する可否情報受信部と、前記可否情報によって前記ログ情報をサービス事業者に提供すると示された機器を示す第１画像と前記可否情報によって前記ログ情報をサービス事業者に提供しないと示された機器を示す第２画像とを互いに異なる表示態様で表示する表示画面を、前記識別子に紐付けられた表示機器からのアクセスに応じて前記表示機器に提供するコマンド提供部とを備える。
【００３１】
また、本発明の他の態様に係る表示方法は、ネットワークを介して同一の識別子に紐付けられたサーバに接続された複数の機器に関する画像を、前記サーバへのアクセスに応じて前記表示機器に表示する表示方法であって、サービス事業者へのログ情報の提供が許可された機器を示す第１画像と、サービス事業者へのログ情報の提供が許可されていない機器を示す第２画像とを互いに異なる表示態様で表示させるコマンドを、前記サーバから受信し、前記コマンドに基づき前記第１画像を第１の表示態様で表示し、前記コマンドに基づき前記第２画像を第２の表示態様で表示する。
【００３２】
また、本発明の他の態様に係る表示方法は、ネットワークを介して同一の識別子に紐付けられたサーバに接続された複数の機器に関する画像を、前記識別子に紐付けられた表示機器に表示する表示方法であって、サービス事業者へのログ情報の提供が許可された機器を示す第１画像と、サービス事業者へのログ情報の提供が許可されていない機器を示す第２画像とを互いに異なる表示態様で表示させるコマンドを、前記サーバから受信し、前記コマンドに基づき前記第１画像を第１の表示態様で表示し、前記コマンドに基づき前記第２画像を第２の表示態様で表示する。
【００３３】
また、本発明の他の態様に係るサーバは、ネットワークを介して同一の識別子に紐付けられた複数の機器から前記複数の機器の使用状況に関するログ情報を収集する制御システムにおけるサーバであって、前記ログ情報をサービス事業者に提供するか否かを示す可否情報を前記複数の機器の各々から受信する通信部と、前記可否情報によって前記ログ情報をサービス事業者に提供すると示された機器を示す第１画像と前記可否情報によって前記ログ情報をサービス事業者に提供しないと示された機器を示す第２画像とを互いに異なる表示態様で表示させるコマンドを、前記識別子に紐付けられた表示機器からのアクセスに応じて前記表示機器に提供する制御部とを備える。
【００３４】
また、本発明の他の態様に係るサーバは、ネットワークを介して同一の識別子に紐付けられた複数の機器から前記複数の機器の使用状況に関するログ情報を収集する制御システムにおけるサーバであって、前記ログ情報をサービス事業者に提供するか否かを示す可否情報を前記複数の機器の各々から受信する通信部と、前記可否情報によって前記ログ情報をサービス事業者に提供すると示された機器を示す第１画像と前記可否情報によって前記ログ情報をサービス事業者に提供しないと示された機器を示す第２画像とを互いに異なる表示態様で前記識別子に紐付けられた表示機器に表示させるコマンドを提供する制御部と、を備える。
【００３５】
また、本発明の他の態様に係るサーバは、ネットワークを介して同一の識別子に紐付けられた複数の機器から前記複数の機器の使用状況に関するログ情報を収集する制御システムにおけるサーバであって、前記ログ情報をサービス事業者に提供するか否かを示す可否情報を前記複数の機器の各々から受信する通信部と、前記可否情報によって前記ログ情報をサービス事業者に提供すると示された機器を示す第１画像と前記可否情報によって前記ログ情報をサービス事業者に提供しないと示された機器を示す第２画像とを互いに異なる表示態様で表示する画面を、前記識別子に紐付けられた表示機器からのアクセスに応じて前記表示機器に提供する制御部と、を備える。
【００３６】
また、本発明の他の態様に係る表示機器は、ネットワークを介して同一の識別子に紐付けられたサーバに接続された複数の機器に関する画像を、前記サーバへのアクセスに応じて表示する表示機器であって、サービス事業者へのログ情報の提供が許可された機器を示す第１画像と、サービス事業者へのログ情報の提供が許可されていない機器を示す第２画像とを互いに異なる表示態様で表示させるコマンドを、前記サーバから受信する通信部と、前記コマンドに基づき前記第１画像を第１の表示態様で表示し、前記コマンドに基づき前記第２画像を第２の表示態様で表示する表示部と、を備える。
【００３７】
また、本発明の他の態様に係る表示機器は、ネットワークを介して同一の識別子に紐付けられクラウドサーバに接続された複数の機器に関する画像を表示する、前記識別子に紐付けられた表示機器であって、サービス事業者へのログ情報の提供が許可された機器を示す第１画像と、サービス事業者へのログ情報の提供が許可されていない機器を示す第２画像とを互いに異なる表示態様で表示させるコマンドを、前記サーバから受信する通信部と、前記コマンドに基づき前記第１画像を第１の表示態様で表示し、前記コマンドに基づき前記第２画像を第２の表示態様で表示する表示部と、を備える。
【００３８】
また、本発明の他の態様に係る表示機器の制御方法は、ネットワークを介して同一の識別子に紐付けられた複数の機器から前記複数の機器の使用状況に関するログ情報を収集する制御システムに用いる表示機器の制御方法であって、前記表示機器に対して、前記識別子に紐付けられた複数の機器の中で前記ログ情報をサービス事業者に提供する機器を示す情報と、前記識別子に紐付けられた複数の機器の中で前記ログ情報をサービス事業者に提供しない機器を示す情報とを管理するサーバに対して管理内容を確認するための指示を前記識別子に対応するユーザから受け付けさせ、受け付けた前記指示に基づいて前記サーバにアクセスさせ、前記アクセスに応じて前記サーバから、前記識別子に紐付けられた複数の機器の中で前記ログ情報をサービス事業者に提供すると示された機器を示す第１画像と、前記識別子に紐付けられた複数の機器の中で前記ログ情報をサービス事業者に提供しないと示された機器を示す第２画像とを互いに異なる表示態様で表示させるコマンドを受信させ、受信した前記コマンドに基づき、表示画面上に、前記第１画像と前記第２画像とを互いに異なる表示態様で表示させる。
【００３９】
（提供するサービスの全体像）
まず、本実施の形態における情報管理システムが提供するサービスの全体像について説明する。
【００４０】
図１（Ａ）は、本実施の形態における制御システムが提供するサービスの全体像が示す図である。制御システムは、グループ１００、データセンタ運営会社１１０及びサービスプロバイダ１２０を備える。
【００４１】
グループ１００は、例えば企業、団体又は家庭等であり、その規模を問わない。グループ１００には、機器Ａ及び機器Ｂを含む複数の機器１０１と、ホームゲートウェイ１０２と、表示機器１０３とが存在する。複数の機器１０１は、インターネットと接続可能な機器（例えば、スマートフォン、パーソナルコンピュータ（ＰＣ）又はテレビ等）、及びそれ自身ではインターネットと接続不可能な機器（例えば、照明機器、洗濯機又は冷蔵庫等）を含む。複数の機器１０１は、それ自身ではインターネットと接続不可能な機器であっても、ホームゲートウェイ１０２を介してインターネットと接続可能となる機器を含んでもよい。また、ユーザ１０は、グループ１００内の複数の機器１０１を使用する。表示機器１０３は、表示機能を有する機器である。表示機器１０３は、例えば、スマートフォン、パーソナルコンピュータ、タブレット型端末、携帯電話機、テレビ、又はグループ１００内に配置された各機器を制御するホームコントローラなどである。
【００４２】
データセンタ運営会社１１０は、クラウドサーバ１１１を備える。クラウドサーバ１１１は、インターネットを介して様々な機器と連携する仮想化サーバである。クラウドサーバ１１１は、主に通常のデータベース管理ツール等で扱うことが困難な巨大なデータ（ビッグデータ）等を管理する。データセンタ運営会社１１０は、データの管理、クラウドサーバ１１１の管理、及びそれらを行うデータセンタの運営等を行っている。データセンタ運営会社１１０が行っている役務の詳細については後述する。
【００４３】
ここで、データセンタ運営会社１１０は、データの管理又はクラウドサーバ１１１の運営等のみを行っている会社に限らない。例えば、図１（Ｂ）に示すように、複数の機器１０１のうちの一つの機器を開発及び製造している機器メーカが、データの管理又はクラウドサーバ１１１の管理等を行っている場合は、機器メーカがデータセンタ運営会社１１０に該当する。また、データセンタ運営会社１１０は一つの会社に限らない。例えば、図１（Ｃ）に示すように、機器メーカ及び他の管理会社が共同又は分担してデータの管理又はクラウドサーバ１１１の運営を行っている場合は、両者又はいずれか一方がデータセンタ運営会社１１０に該当する。
【００４４】
サービスプロバイダ１２０は、サーバ１２１を備える。ここで言うサーバ１２１とは、その規模は問わず、例えば、個人用ＰＣ内のメモリ等も含む。また、サービスプロバイダ１２０がサーバ１２１を備えていない場合もある。
【００４５】
なお、上記サービスにおいて、ホームゲートウェイ１０２は必須ではない。例えば、クラウドサーバ１１１が全てのデータ管理を行っている場合等は、ホームゲートウェイ１０２は不要となる。また、家庭内のあらゆる機器がインターネットに接続されている場合のように、それ自身ではインターネットと接続不可能な機器は存在しない場合もある。
【００４６】
なお、表示機器１０３は、複数の機器１０１のうちの一つの機器であってもよい。
【００４７】
次に、上記サービスにおける情報の流れを説明する。
【００４８】
まず、グループ１００の機器Ａ又は機器Ｂは、各ログ情報をデータセンタ運営会社１１０のクラウドサーバ１１１に送信する。クラウドサーバ１１１は、機器Ａ又は機器Ｂのログ情報を集積する（図１（Ａ）の矢印１３１）。ここで、ログ情報とは、複数の機器１０１の例えば運転状況又は動作日時等を示す情報である。例えば、ログ情報は、テレビの視聴履歴、レコーダーの録画予約情報、洗濯機の運転日時、洗濯物の量、冷蔵庫の開閉日時又は冷蔵庫の開閉回数などを含むが、これらの情報に限らず、種々の機器から取得が可能な種々の情報を含んでもよい。なお、ログ情報は、インターネットを介して複数の機器１０１自体から直接クラウドサーバ１１１に提供されてもよい。また、ログ情報は、複数の機器１０１から一旦ホームゲートウェイ１０２に集積され、ホームゲートウェイ１０２からクラウドサーバ１１１に提供されてもよい。
【００４９】
次に、データセンタ運営会社１１０のクラウドサーバ１１１は、集積したログ情報を一定の単位でサービスプロバイダ１２０に提供する。ここで、一定の単位とは、データセンタ運営会社１１０が集積した情報を整理してサービスプロバイダ１２０に提供することのできる単位でもよいし、サービスプロバイダ１２０が要求する単位でもよい。また、一定の単位で提供するとしているが、一定の単位でなくてもよく、状況に応じて提供する情報量が変化してもよい。ログ情報は、必要に応じてサービスプロバイダ１２０が保有するサーバ１２１に保存される（図１（Ａ）の矢印１３２）。
【００５０】
そして、サービスプロバイダ１２０は、ログ情報をユーザに提供するサービスに適合する情報に整理し、ユーザに提供する。サービスが提供されるユーザは、複数の機器１０１を使用するユーザ１０でもよいし、外部のユーザ２０でもよい。ユーザ１０，２０へのサービス提供方法としては、例えば、サービスプロバイダ１２０から直接ユーザ１０，２０へサービスが提供されてもよい（図１（Ａ）の矢印１３３，１３４）。また、ユーザ１０へのサービス提供方法としては、例えば、データセンタ運営会社１１０のクラウドサーバ１１１を再度経由して、ユーザ１０にサービスが提供されてもよい（図１（Ａ）の矢印１３５，１３６）。また、データセンタ運営会社１１０のクラウドサーバ１１１は、ログ情報をユーザに提供するサービスに適合する情報に整理し、サービスプロバイダ１２０に提供してもよい。
【００５１】
なお、ユーザ１０は、ユーザ２０と異なっていても同一であってもよい。
【００５２】
以上、サービスの全体像に関しては以下で説明する各実施の形態において共通であるので、以下同じ符号を用いて各実施の形態の説明をする。
【００５３】
なお、以下で説明する実施の形態は、いずれも本発明の一具体例を示すものである。以下の実施の形態で示される数値、形状、構成要素、ステップ及びステップの順序などは、一例であり、本発明を限定する主旨ではない。また、以下の実施の形態における構成要素のうち、最上位概念を示す独立請求項に記載されていない構成要素については、任意の構成要素として説明される。また、全ての実施の形態において、各々の内容を組み合わせることもできる。
【００５４】
（実施の形態１）
（各装置の構成）
図２は、図１に示す各機器の構成を示す図である。なお、図２に示す各機器の構成は一例であり、各機器は、図２に示されている構成以外の構成を備えていてもよいし、また、一部の構成を備えていなくてもよい。
【００５５】
本実施の形態では、複数の機器１０１は、グループ１００内にある様々な機器を想定しているので、機器Ａ及び機器Ｂとしては、さまざまな構成が考えられる。ここでは、機器Ａはそれ自体でインターネットに接続できる機器とし、機器Ｂはそれ自体ではインターネットに接続できない機器として、それぞれの機器における構成の一例を示す。
【００５６】
機器Ａは、制御部２０１、通信部２０２、メモリ２０３、接続端子２０４、スピーカ２０５、マイク２０６、モニタ２０７及び入力部２０８を備える。なお、機器Ａは、メモリ２０３、接続端子２０４、スピーカ２０５、マイク２０６、モニタ２０７及び入力部２０８を備えていなくてもよい。
【００５７】
制御部２０１は、機器Ａに関する様々な制御を行うための構成であり、特に限定しない。制御部２０１は、例えばＣＰＵ（Ｃｅｎｔｒａｌ  Ｐｒｏｃｅｓｓｉｎｇ  Ｕｎｉｔ）等で構成される。
【００５８】
通信部２０２は、インターネットを介して他の機器と通信するための構成であり、特に限定しない。通信部２０２は、例えばアンテナ、データ通信用のモジュール等で構成される。インターネットへの接続に関してはその方法を問わない。機器の中には、ユーザの指示によってのみインターネットにアクセスできる機器もある。また、機器の中にはユーザが自発的に接続する指示を出さなくても、自動的に（定期的に）インターネットにアクセスする機器もある。
【００５９】
メモリ２０３は、情報を蓄積するための構成であり、特に限定しない。メモリ２０３は、機器に内蔵される記録機能を有する電子部品又はチップ等で構成される。機器Ａが、外付け記録媒体との接続手段を有する場合は、メモリ２０３は、その接続手段も含む。
【００６０】
接続端子２０４は、外部機器と接続するための端子である。接続端子２０４の種類又は接続規格等は問わない。
【００６１】
入力部２０８は、キーボード又はタッチパネルなどのユーザが文字等を入力するためのあらゆる構成を含む。
【００６２】
スピーカ２０５は、音声を出力する。マイク２０６は、音を電気信号に変換する。モニタ２０７は、種々の情報を表示する。
【００６３】
機器Ｂの構成は機器Ａの構成と同様である。ただし、機器Ｂは、それ自体ではインターネットに接続できない機器を想定しているので、通信部２０２、メモリ２０３、接続端子２０４、スピーカ２０５、マイク２０６、モニタ２０７及び入力部２０８を備えていなくてもよい。機器Ｂは、接続端子２０４を用いてホームゲートウェイ１０２又は他の通信機器と接続することで、インターネットと接続する。
【００６４】
表示機器１０３の構成は、機器Ａ又は機器Ｂの構成と同様である。なお、表示機器１０３は、通信部２０２を備えていなくてもよいが、何らかの方法でインターネットを経由して取得した情報を表示する。また、表示機器１０３は、メモリ２０３、接続端子２０４、スピーカ２０５、マイク２０６及び入力部２０８を備えていなくてもよい。また、上記したように、複数の機器１０１のうちでモニタ２０７のような表示機能を有する機器が存在すれば、表示機器１０３が存在しなくてもよい。すなわち、グループ１００内の複数の機器１０１（モニタ２０７を備える機器Ａ又は機器Ｂ）は、表示機器１０３を含んでもよい。また、表示機器１０３は、グループ１００外のユーザ２０が利用する装置であってもよい。また、表示機器１０３は、表示専用の装置でもよい。
【００６５】
クラウドサーバ１１１は、制御部２１１、通信部２１２及びメインメモリ２１３を備える。制御部２１１は、例えばＣＰＵ（Ｃｅｎｔｒａｌ  Ｐｒｏｃｅｓｓｉｎｇ  Ｕｎｉｔ）で構成される。制御部２１１は、マルチプロセッシングを行う場合、複数のＣＰＵで構成されてもよい。通信部２１２は、インターネットを介して複数の機器１０１（機器Ａ及び機器Ｂ）と通信するための構成であり、その方法は問わない。メインメモリ２１３は、大容量のデータ（ビッグデータ）を保存することが可能な記録装置である。クラウドサーバ１１１は、上記の構成に加えて、複数の箇所にデータを運ぶバスライン、サーバの起動時にＣＰＵが実行するプログラムを記録するＢＩＯＳ（Ｂａｓｉｃ  Ｉｎｐｕｔ  Ｏｕｔｐｕｔ  Ｓｙｓｔｅｍ）、ハードディスクドライブ又は光ディスクドライブ等の記憶装置を接続するＩ／Ｏコントローラ、表示装置、又は入力装置等を備えていてもよい。また、サーバ１２１の構成はクラウドサーバ１１１の構成と同じであるので説明を省略する。
【００６６】
ホームゲートウェイ１０２は、例えば、制御部２１１、通信部２１２及びメインメモリ２１３を備える。ホームゲートウェイ１０２の各構成はクラウドサーバ１１１の各構成と同様であるので説明を省略する。ホームゲートウェイ１０２は、メインメモリ２１３を備えなくてもよい。
【００６７】
ここで、本実施の形態において、グループ１００内の複数の機器１０１（機器Ａ及び機器Ｂ）及び表示機器１０３は、同一の識別子Ａにて紐付けられている。なお、各機器が常に同一の識別子によって紐付けられている必要はない。ある時は識別子Ａで紐付けられ、ある時は識別子Ａ以外の識別子で紐付けられている状態があってもよい。しかしながら、本実施の形態におけるシステムを実施する際には、複数の機器１０１及び表示機器１０３は、同一の識別子Ａにて紐付けられているものとする。識別子は、特定のユーザ（例えばユーザ１０）、又は複数のユーザ（例えばユーザ１０及びユーザ２０）に固有のものである。識別子と機器とを紐付ける方法は限定しない。例えばシステムを利用する度に、ユーザ１０が機器Ａ、機器Ｂ及び表示機器１０３の入力部２０８を用いて識別子Ａを入力し、制御部２０１に識別子Ａを認識させることで、識別子Ａによってログインしている状態にしてもよい。また、機器Ａ、機器Ｂ及び表示機器１０３の購入時（設置時）の初期設定等によって、常に識別子Ａと各機器とが紐付けられた状態にしてもよい。
【００６８】
（制御システムの構成）
図３は、本実施の形態１における制御システム３００の構成を示す図である。
【００６９】
制御システム３００は、可否情報受信部３０１と、コマンド提供部３０２とを備える。
【００７０】
可否情報受信部３０１は、ログ情報をサービス事業者に提供するか否かを示す可否情報を複数の機器１０１の各々から受信する。可否情報受信部３０１は、受信した可否情報をコマンド提供部３０２に出力する。ここで、情報提供とは、図１を用いて説明したように、機器Ａ又は機器Ｂのログ情報をクラウドサーバ１１１又はホームゲートウェイ１０２に提供することを示す。可否情報とは、複数の機器１０１からログ情報を収集してよいか否かに関する情報である。
【００７１】
ここで、データセンタ運営会社１１０が保有するクラウドサーバ１１１の通信部２１２が可否情報受信部３０１を有していてもよい。また、サービスプロバイダ１２０が保有するサーバ１２１の通信部２１２が可否情報受信部３０１を有していてもよい。さらに、グループ１００のホームゲートウェイ１０２の通信部２１２が可否情報受信部３０１を有していてもよい。通信部２１２は、インターネットを介して通信部２０２と通信し、複数の機器１０１によって送信された可否情報を受信する。
【００７２】
コマンド提供部３０２は、可否情報受信部３０１によって受信された可否情報に基づいて、可否情報によってログ情報をサービス事業者に提供すると示された機器を示す第１画像と可否情報によってログ情報をサービス事業者に提供しないと示された機器を示す第２画像とを互いに異なる表示態様で表示させるコマンドを、識別子に紐付けられた表示機器１０３からのアクセスに応じて表示機器１０３に提供する。
【００７３】
ここで、第１画像及び第２画像とは、その機器をイメージする画像を示す。コマンドは、例えばＨＴＭＬ形式のＷＥＢページを生成するための情報でもよい。また、コマンドは、表示機器１０３に表示するための画像を生成するための情報でもよい。また、コマンドは、表示機器１０３に表示する画像そのものでもよい。
【００７４】
ここで、データセンタ運営会社１１０が保有するクラウドサーバ１１１の制御部２１１がコマンド提供部３０２を有していてもよい。また、サービスプロバイダ１２０が保有するサーバ１２１の制御部２１１がコマンド提供部３０２を有していてもよい。さらに、グループ１００のホームゲートウェイ１０２の制御部２１１がコマンド提供部３０２を有していてもよい。
【００７５】
なお、制御システム３００は、コマンド生成部をさらに備えてもよい。コマンド生成部は、可否情報によってログ情報をサービス事業者に提供すると示された機器を示す第１画像と可否情報によってログ情報をサービス事業者に提供しないと示された機器を示す第２画像とを互いに異なる表示態様で表示させるコマンドを生成する。
【００７６】
（制御システムの制御方法についての説明）
図４は、本実施の形態１の制御システム３００の制御方法を示すフローチャートである。
【００７７】
まず、可否情報受信部３０１は、ログ情報をサービス事業者に提供するか否かを示す可否情報を複数の機器１０１の各々から受信する（ステップＳ１）。
【００７８】
続いて、コマンド提供部３０２は、可否情報によってログ情報をサービス事業者に提供すると示された機器を示す第１画像と可否情報によってログ情報をサービス事業者に提供しないと示された機器を示す第２画像とを互いに異なる表示態様で表示するコマンドを、表示機器１０３に提供する（ステップＳ２）。
【００７９】
（制御システムの動作例）
以下、図５を用いて、本実施の形態１の制御システムのより具体的な動作例に関して説明する。図５は、本実施の形態１の制御システムの具体的な動作例を説明するためのシーケンス図である。ここでは、機器Ａとしてテレビを想定し、機器Ｂとしてエアコンを想定しているが、これは一例であり、本実施の形態を限定するものではない。
【００８０】
まず、ステップＳ１０１において、各機器の入力部２０８は、ユーザによる可否情報の設定を受け付ける。可否情報とは、既に説明したように複数の機器１０１からログ情報を収集してよいか否かに関する情報である。ここでは、機器Ａ（テレビ）に関しては、ログ情報を収集することを示す可否情報が設定され、機器Ｂの可否情報に関しては、ログ情報を収集しないことを示す可否情報が設定されている。
【００８１】
なお、ユーザが、機器Ａ又は機器Ｂの入力部２０８を用いて可否情報の設定を行ってもよいし、ユーザが、機器Ａ又は機器Ｂ以外の機器から機器Ａ又は機器Ｂに対して可否情報の設定を行ってもよい。また、ユーザが、何らかの機器から機器メーカ又はデータセンタ運営会社１１０へ問い合わせを行い、クラウドサーバ１１１等を用いて可否情報の設定を行ってもよい。機器メーカが可否情報に関する初期設定を行ってもよいが、本実施の形態ではユーザが何らかの手段で機器購入後に設定及び変更を行う。
【００８２】
次に、ステップＳ１０２において、機器Ａ及び機器Ｂの通信部２０２は、インターネットへ接続する。インターネットへの接続方法は既に説明したとおりである。
【００８３】
次に、ステップＳ１０３において、クラウドサーバ１１１の通信部２１２は、機器Ａ及び機器Ｂがインターネットへ接続されたことを検知し、複数の機器１０１の各々から、ログ情報を提供すると設定されているかログ情報を提供しないと設定されているかに関する可否情報を受信する。ここで、ステップＳ１０３の動作は、本実施の形態の制御システム３００における可否情報受信部３０１の動作（図４のステップＳ１の動作）に相当する。なお、ホームゲートウェイ１０２が存在する場合には、クラウドサーバ１１１の通信部２１２は、機器がホームゲートウェイ１０２を経由してインターネットへ接続されたことを検知してもよい。
【００８４】
可否情報を受信する方法に関しては、複数の機器１０１の機器Ａ又は機器Ｂがインターネットに接続されたタイミングで、複数の機器１０１の機器Ａ又は機器Ｂは、可否情報をクラウドサーバ１１１に通知するようにしてもよい。また、クラウドサーバ１１１は、機器Ａ又は機器Ｂがインターネットに接続されたか否かを示す通知を、一定時間ごとに要求することで可否情報を受信してもよい。また、クラウドサーバ１１１のメインメモリ２１３は、インターネットに接続した機器に関する情報を蓄積してもよい。複数の機器１０１のうち過去にインターネットに接続したことのない新たな機器がインターネットに接続された場合にのみ、クラウドサーバ１１１は、当該新たな機器の可否情報を受信し、新たな機器に関する情報をメインメモリ２１３に記録してもよい。
【００８５】
ここで、図６は、図５のステップＳ１０３においてクラウドサーバ１１１が複数の機器１０１のうちの機器Ａから受信する情報５０１の一例を示す図である。図７は、図５のステップＳ１０３においてクラウドサーバ１１１が複数の機器１０１のうちの機器Ｂから受信する情報５０２の一例を示す図である。
【００８６】
図６及び図７では、日付（例えば、“２０１２／１２／５”）、機器に紐付けられている識別子（例えば、“Ａ”）、機器種類（例えば、“テレビ”又は“エアコン”）、メーカ名（例えば、“ＸＸＸＸ”又は“ＹＹＹＹ”）、型番（例えば、“Ｔ−ＸＸＸＸＷＴ”又は“ＣＳ−ＸＸＸＸ”）、及び可否情報（例えば、“０”又は“１”）の順で取得した情報が整理されている。ここで、受信した可否情報は、“０”又は“１”のフラグによって表されている。“０”のフラグは、ログ情報を提供しないことを示し、“１”のフラグは、ログ情報を提供することを示す。ここで、フラグは、複数の機器１０１の各機器における制御部２０１で生成されていてもよいし、クラウドサーバ１１１が、可否情報に関して受信した情報をフラグに変換してもよい。また、ステップＳ１０３においてクラウドサーバ１１１が複数の機器１０１から受信する情報はこれに限られない。型番等の情報は必ずしも必須ではない。
【００８７】
次に、ステップＳ１０４において、クラウドサーバ１１１の制御部２１１は、インターネットへ接続された機器（機器Ａ及び機器Ｂ）のうち、ログ情報を提供すると設定された機器（機器Ａ）と、ログ情報を提供しないと設定された機器（機器Ｂ）とを整理してコマンドを生成する。
【００８８】
まず、クラウドサーバ１１１の制御部２１１は、ステップＳ１０３にて各々の機器から取得した情報を識別子ごとに整理する。また、クラウドサーバ１１１の制御部２１１は、取得した日付順に整理することで情報５０３を生成する。図８は、クラウドサーバで整理された情報５０３の一例を示す図である。ここで、図８に示すように、グループ１００内には機器Ａ（テレビ）及び機器Ｂ（エアコン）以外にも、スマートフォン、ＰＣ、洗濯機及び冷蔵庫が存在し、各々いずれかの方法でインターネットに接続されているとする。図８において、識別子には、可否情報が設定された日付と、機器種類と、メーカ名と、型番と、可否情報とが対応付けられている。
【００８９】
そして、制御部２１１は、各機器のフラグを判別することで、可否情報がログ情報を提供しないことを示す（フラグが“０”）機器と、可否情報がログ情報を提供することを示す（フラグが“１”）機器とを整理し、識別子Ａに紐付けられた表示機器１０３に提供するコマンド５０４を生成する。図９は、クラウドサーバで生成されたコマンド５０４の一例を示す図である。なお、制御部２１１は、日付順に整理してから可否情報を示すフラグによって整理しているが、コマンドを生成する手順はこれに限られない。例えば、制御部２１１は、取得した日付順に整理せずに最初から可否情報を示すフラグによって整理してもよい。
【００９０】
また、図１０に示すように、制御部２１１は、機器種類及び可否情報のみを整理したコマンド５０５を生成してもよい。図１０は、クラウドサーバで生成された他のコマンド５０５の一例を示す図である。コマンド５０５は、機器種類と可否情報とを含む。
【００９１】
次に、ステップＳ１０５において、クラウドサーバ１１１の通信部２１２は、可否情報によってログ情報を提供すると示された機器を示す第１画像と可否情報によってログ情報を提供しないと示された機器を示す第２画像とを互いに異なる表示態様で表示機器１０３に表示させるコマンド５０４（又はコマンド５０５）を、識別子Ａに紐付けられた表示機器１０３に提供する。
【００９２】
ここで、ステップＳ１０５の動作は、本実施の形態の制御システム３００におけるコマンド提供部３０２の動作（図４のステップＳ２の動作）に相当する。なお、ビジネスの類型によっては、クラウドサーバ１１１はサービスプロバイダ１２０のサーバ１２１にコマンド５０４を送り、サーバ１２１が表示機器１０３にコマンド５０４を提供してもよい。ビジネスの類型に関しては後述する。また、ホームゲートウェイ１０２が存在する場合には、クラウドサーバ１１１又はサーバ１２１はホームゲートウェイ１０２にコマンド５０４を提供してもよい。
【００９３】
次に、ステップＳ１０６において、表示機器１０３は、クラウドサーバ１１１から提供されたコマンド５０４に基づいて、複数の機器１０１のうちの機器Ａ、機器Ｂ及びその他の機器を示す画像を、情報提供の可否に応じた態様で表示する。より具体的には、表示機器１０３は、可否情報によりログ情報を提供すると設定されている機器に関する第１画像６０１と、可否情報によりログ情報を提供しないと設定されている機器に関する第２画像６０２とを区別して表示する（図１１参照）。
【００９４】
図１１は、本実施の形態１において表示機器１０３に表示される画面の一例を示す図である。本実施の形態１では、各機器の可否情報を表示する画面として、サービスプロバイダ１２０が開設する個人用ＷＥＢページが用いられる。より具体的には、各機器の可否情報を表示する画面は、グループ１００内のユーザ１０が、表示機器１０３を用いてサービスプロバイダ１２０が開設するＷＥＢページにアクセスしてＩＤパスワードの入力などによって個人用ページ（マイページ）を開いた際に表示される。なお、表示機器１０３に各機器の可否情報を表示する画面は、図１１に示すような、ユーザ側からアクセスして表示させるＷＥＢページに限らない。例えば、ユーザがアクセスしなくとも、複数の機器１０１のうち表示機能を有する機器が、各機器の可否情報を示す画面を自動で表示及び更新してもよい。
【００９５】
図１１では、グループ１００の複数の機器１０１内でステップＳ１０３にてインターネットに接続された全ての機器をイメージする画像（アイコン）が表示されている。そして、表示機器１０３は、複数の機器１０１のうち機器Ａ（テレビ）、冷蔵庫及び洗濯機などの可否情報によってログ情報を提供すると設定されている機器を示す第１画像６０１の輝度値を、複数の機器１０１のうち機器Ｂ（エアコン）、ＰＣ及びスマートフォンなどの可否情報によってログ情報を提供しないと設定されている機器を示す第２画像６０２の輝度値よりも高くする。表示態様は、第１画像６０１の輝度と第２画像６０２の輝度とを互いに異ならせる。これにより、第１画像６０１は、第２画像６０２よりも明るく表示される。なお、図１１では、輝度が高い画像を実線で表し、輝度が低い画像を破線で表している。
【００９６】
また、図１１に示すように、表示機器１０３は、可否情報によってログ情報を提供すると設定されている機器を示す第１画像６０１を円（又は楕円）等で囲んで表示させてもよい。これにより、第１画像６０１を強調して表示させることができる。一方、表示機器１０３は、機器Ｂ（エアコン）、ＰＣ及びスマートフォンを示す第２画像６０２の輝度値を、第１画像６０１の輝度値よりも下げている。
【００９７】
なお、表示機器１０３は、ログ情報を提供すると設定されている機器を示す第１画像６０１の輝度値を、ログ情報を提供しないと設定されている機器を示す第２画像６０２の輝度値よりも下げてもよい。すなわち、図１１で示している例とは逆に、表示機器１０３は、可否情報によってログ情報を提供しないと設定されている機器を示す第２画像６０２の輝度値を、可否情報によってログ情報を提供すると設定されている機器を示す第１画像６０１の輝度値よりも高くしてもよい。また、表示機器１０３は、可否情報によってログ情報を提供しないと設定されている機器を示す第２画像６０２を円（又は楕円）等で囲んで表示させてもよい。
【００９８】
図１２は、本実施の形態１において表示機器１０３に表示される画面の第１の変形例を示す図である。図１２に示す表示画面では、図１１と同様に、複数の機器１０１のうち、機器Ａ（テレビ）、冷蔵庫及び洗濯機などの可否情報によってログ情報を提供すると設定されている機器を示す第１画像６０１のサイズが、機器Ｂ（エアコン）、ＰＣ及びスマートフォンなどの可否情報によってログ情報を提供しないと設定されている機器を示す第２画像６０２のサイズよりも大きく表示されている。すなわち、表示機器１０３は、第１画像６０１の大きさと第２画像６０２の大きさとを互いに異ならせて表示する。
【００９９】
なお、上記の説明では、表示機器１０３は、可否情報によってログ情報を提供すると設定されている機器を示す第１画像と、可否情報によってログ情報を提供しないと設定されている機器を示す第２画像とを互いに異なる表示態様で表示しているが、これに限られない。例えば、表示機器１０３は、ユーザが保有している機器を示す画像と、ユーザが保有していない機器を示す画像とを互いに異なる表示態様で表示してもよい。図１１及び図１２の例では、ユーザが保有しているテレビ、冷蔵庫及び洗濯機を示す画像が、第１画像６０１として表示され、ユーザが保有していないＰＣ、エアコン及びスマートフォンを示す画像が、第２画像６０２として表示される。
【０１００】
また、表示機器１０３は、ユーザが保有している機器のうち、ログ情報を取得する機能を有している機器を示す画像と、ユーザが保有している機器のうち、ログ情報を取得する機能を有していない機器を示す画像とを互いに異なる表示態様で表示してもよい。図１１及び図１２の例では、ユーザが保有する機器のうち、ログ情報を取得する機能を有しているテレビ、冷蔵庫及び洗濯機を示す画像が、第１画像６０１として表示され、ユーザが保有している機器のうち、ログ情報を取得する機能を有していないＰＣ、エアコン及びスマートフォンを示す画像が、第２画像６０２として表示される。
【０１０１】
また、表示機器１０３は、ユーザが保有している機器を示す画像と、ユーザが保有していない機器を示す画像とを互いに異なる表示態様で表示する場合、ユーザが保有していない機器の購入を促すような広告を表示してもよい。なお、表示機器１０３は、ログ情報を取得する機能を有している機器を示す画像と、ログ情報を取得する機能を有していない機器を示す画像とを互いに異なる表示態様で表示する場合も同様に、ログ情報を取得する機能を有している機器の購入を促すような広告を表示してもよい。この表示例について、図１３を用いて説明する。
【０１０２】
図１３は、本実施の形態１において表示機器１０３に表示される画面の第２の変形例を示す図である。
【０１０３】
例えば、図１３に示すように、ユーザによりマウスカーソル６０３が、ユーザが保有していない機器又はログ情報を取得する機能を有していない機器を示す画像の上に移動された際に、表示機器１０３は、ログ情報を取得する機能を有している機器の購入を促す広告画像６０４を表示してもよい。広告画像６０４に表示される店舗６０５は、ユーザに対して直接販売する販売店でもよいし、インターネット上での通信販売のみを行う店舗でもよい。ユーザにより店舗６０５がクリックされることで、表示機器１０３は、店舗６０５のＷＥＢページ、又は商品を説明するＷＥＢページを表示する。店舗６０５がユーザに対して直接販売する販売店である場合、表示機器１０３は、ユーザの住所から近い店舗を上から順番に表示してもよい。また、店舗６０５がインターネット上での通信販売のみを行う店舗である場合、表示機器１０３は、サービスプロバイダ１２０に支払った広告料の高い店舗を上から順番に表示してもよい。
【０１０４】
また、表示機器１０３は、機器の設定可能な全てのログ情報の項目のうちのユーザにより提供すると設定されたログ情報の項目の割合を情報提供度合として表示してもよい。
【０１０５】
図１４は、情報提供度合を含む情報の一例を示す図である。図１４に示すように、可否情報受信部３０１は、情報５０６を受信してもよい。情報５０６は、日付（例えば、“２０１２／１２／５”）、識別子（例えば、“Ａ”）、機器種類（例えば、“テレビ”）、メーカ名（例えば、“ＸＸＸＸ”）、型番（例えば、“Ｔ−ＸＸＸＸＷＴ”）、可否情報（例えば、“１”）、及び情報提供度合（例えば、“３３．３％”）の順で整理されている。情報提供度合とは、提供対象のログ情報として複数の項目が挙げられる場合に、その複数の項目のうち提供すると設定している項目の割合である。例えば、テレビに関して、「ＯＮ／ＯＦＦ時刻」、「視聴ジャンル」及び「視聴番組」の３項目が提供対象のログ情報として挙げられている場合、あるユーザが「ＯＮ／ＯＦＦ時刻」に関しては提供すると設定し、「視聴ジャンル」及び「視聴番組」に関しては提供しないと設定した場合、情報提供度合は３３．３％と特定される。
【０１０６】
複数の機器１０１の各々は、情報提供度合を算出し、算出した情報提供度合を可否情報とともにクラウドサーバ１１１へ送信する。可否情報受信部３０１は、複数の機器１０１の各々から可否情報及び情報提供度合を受信する。
【０１０７】
クラウドサーバ１１１の制御部２１１は、受信した情報提供度合を第１画像及び第２画像の下に表示させるコマンドを生成する。なお、クラウドサーバ１１１の制御部２１１は、受信した情報提供度合に基づいて、各機器を示す第１画像及び第２画像の表示態様を異ならせるコマンドを生成してもよい。ように表示機器１０３を制御する。表示態様としては、例えば、情報提供度合が高いほど第１画像及び第２画像の輝度を高くし、情報提供度合が低いほど第１画像及び第２画像の輝度を低くする。この表示例について、図１５を用いて説明する。
【０１０８】
図１５は、本実施の形態１において表示機器１０３に表示される画面の第３の変形例を示す図である。図１５に示すように、表示機器１０３は、各機器を示す第１画像６０１及び第２画像６０２の下に、それぞれの情報提供度合６０６を表示している。なお、図１５に示す表示画面例では、ログ情報を提供する機器を示す第１画像６０１の輝度が、ログ情報を提供しない機器を示す第２画像６０２の輝度よりも高くなるように表示される。また、第２画像６０２は、ログ情報を提供しない機器を示している。そのため、第２画像６０２の下に表示される情報提供度合６０６は０％として表示される。
【０１０９】
なお、本実施の形態では、表示機器１０３は、ログ情報を提供する機器を示す第１画像６０１の輝度とログ情報を提供しない機器を示す第２画像６０２の輝度とを異ならせて表示しているが、本発明は特にこれに限定されず、表示機器１０３は、ログ情報を提供する機器を示す第１画像６０１の色とログ情報を提供しない機器を示す第２画像６０２の色とを異ならせて表示してもよい。すなわち、例えば、表示機器１０３は、第１画像６０１を青色で表示し、第２画像６０２を赤色で表示してもよい。
【０１１０】
また、表示機器１０３は、ログ情報を提供する機器を示す第１画像６０１の表示位置とログ情報を提供しない機器を示す第２画像６０２の表示位置とを異ならせて表示してもよい。すなわち、表示機器１０３は、第１画像６０１を画面の上部に表示し、第２画像６０２を画面の下部に表示してもよい。
【０１１１】
また、表示機器１０３は、グループ１００内に同一種類の複数の機器が存在する場合、各機器に対応する第１画像６０１及び第２画像６０２を識別可能に表示してもよい。例えば、テレビが、家庭内で複数の部屋に配置されている場合、表示機器１０３は、テレビを示す第１画像６０１又は第２画像６０２の下部に部屋名を表示してもよい。
【０１１２】
また、上記の各実施の形態において、表示機器１０３は、ログ情報を提供する機器とログ情報を提供しない機器との表示態様を異ならせているが、さらに、ネットワークに接続可能な機器のうち、ネットワークに接続している機器とネットワークに接続していない機器との表示態様を異ならせてもよい。
【０１１３】
図１６は、本実施の形態１において表示機器１０３に表示される画面の第４の変形例を示す図である。
【０１１４】
図１６では、グループ１００の複数の機器１０１内でユーザが所有する全ての機器をイメージする画像（アイコン）３００１〜３００４が表示されている。表示機器１０３は、インターネットに接続可能な機器と、インターネットに接続できない機器とを異なる表示態様で表示する。図１６に示すように、各機器がインターネットに接続可能な機器であるか否かは、機器を示す画像３００１〜３００４と、ネットワークを示す画像３００６とを結ぶ線画像３００７で表されている。
【０１１５】
複数の機器１０１の中には、インターネットに接続可能な機器と、インターネットに接続できない機器とが存在する。インターネットに接続可能な機器である場合、機器を示す画像と、ネットワークを示す画像３００６とを結ぶ線画像３００７が表示され、インターネットに接続可能な機器ではない場合、線画像３００７は表示されない。図１６に示す例では、画像３００１，３００２，３００３に対応する機器はインターネットに接続可能であるため、各機器を示す画像３００１，３００２，３００３と、ネットワークを示す画像３００６とを結ぶ線画像３００７が表示され、画像３００４に対応する機器はインターネットに接続不可能であるため、機器を示す画像３００４と、ネットワークを示す画像３００６とを結ぶ線画像３００７が表示されない。
【０１１６】
これにより、ユーザは、所有している機器が、インターネットに接続可能であるか否かを容易に確認することができる。
【０１１７】
なお、インターネットに接続できない機器に関する情報は、予めユーザが登録してもよい。また、インターネットに接続できない機器が電源プラグに挿入された場合、ホームゲートウェイ１０２が、電源プラグを介して機器からインターネットに接続できない機器に関する情報を取得してもよい。
【０１１８】
また、表示機器１０３は、インターネットに接続可能な機器のうち、インターネットに接続している機器と、インターネットに接続していない機器とを異なる表示態様で表示する。図１６に示すように、インターネットに接続可能であり、インターネットに接続している機器は、実線で示す線画像３００７で表され、インターネットに接続可能であり、インターネットに接続していない機器は、破線で示す線画像３００７で表される。
【０１１９】
インターネットに接続可能な機器の中には、インターネットに接続している機器と、インターネットに接続していない機器とが存在する。インターネットに接続するか否かは、各機器毎に設定可能である。インターネットに接続可能であり、インターネットに接続されている機器である場合、機器を示す画像と、ネットワークを示す画像３００６とを結ぶ線画像３００７が実線で表示される。また、インターネットに接続可能であり、インターネットに接続されていない機器である場合、機器を示す画像と、ネットワークを示す画像３００６とを結ぶ線画像３００７が破線で表示される。
図１６に示す例では、画像３００１，３００２，３００３ａに対応する機器はインターネットに接続しているため、画像３００１，３００２，３００３ａと、ネットワークを示す画像３００６とを結ぶ線画像３００７が実線で表示され、画像３００３ｂに対応する機器はインターネットに接続していないため、画像３００４と、ネットワークを示す画像３００６とを結ぶ線画像３００７が破線で表示される。
【０１２０】
これにより、ユーザは、インターネットに接続可能な機器が、実際にインターネットに接続しているか否かを容易に確認することができる。
【０１２１】
さらに、表示機器１０３は、インターネットに接続している機器のうち、ログ情報を提供する機器と、ログ情報を提供しない機器とを異なる表示態様で表示する。表示機器１０３は、ログ情報を提供する機器を示す画像３００１の輝度値を、ログ情報を提供しない機器を示す画像３００２，３００３，３００４の輝度値よりも高くする。なお、図１６では、輝度が高い画像を実線で表し、輝度が低い画像を破線で表している。
【０１２２】
なお、表示機器１０３は、ログ情報を提供する機器を示す画像３００１の大きさを、ログ情報を提供しない機器を示す画像３００２，３００３，３００４の大きさよりも大きく表示してもよい。
【０１２３】
また、表示機器１０３は、ログ情報を提供する機器を示す画像３００１の輝度値を、ログ情報を提供しない機器を示す画像３００２，３００３，３００４の輝度値よりも下げてもよい。すなわち、図１６で示している例とは逆に、表示機器１０３は、可否情報によってログ情報を提供しないと設定されている機器を示す画像３００２，３００３，３００４の輝度値を、可否情報によってログ情報を提供すると設定されている機器を示す画像３００１の輝度値よりも高くしてもよい。
【０１２４】
さらに、表示機器１０３は、機器がログ情報を提供することを示す画像３００８と、機器がログ情報を提供しないことを示す画像３００９とを、各機器を示す画像３００１，３００２と、ネットワークを示す画像３００６とを結ぶ線画像３００７上に表示してもよい。
【０１２５】
また、表示機器１０３は、ユーザが所有しておらずネットワークに接続可能な機器を示す画像３００５を表示してもよい。図１６に示す例では、ドライヤー及び掃除ロボットを示す画像３００５が、ユーザが所有しておらずネットワークに接続可能な機器を示す画像として表示されている。クラウドサーバ１１１は、ネットワークに接続可能な機器を示すリストを予め記憶していてもよい。この場合、クラウドサーバ１１１は、当該リストに挙げられている機器の中から、ユーザが所有している機器以外の機器を、ユーザが所有しておらずネットワークに接続可能な機器として特定する。
【０１２６】
これにより、ユーザに対してネットワークに接続可能な機器の購入を促すことができ、さらに多くの機器からログ情報を取得することができる。
【０１２７】
また、図１６に示す表示画面において、各機器を示す画像上にカーソルが移動されることにより、各機器の状態に応じたメッセージ画像を表示してもよい。
【０１２８】
図１７は、図１６に示す表示画面において、ログ情報を提供しないと設定されている機器を示す画像上にカーソルが移動された際に表示される画面を示す図である。
【０１２９】
図１７に示すように、ユーザによりマウスカーソル３０１０が、ログ情報を提供しないと設定されている機器を示す画像３００２の上に移動された際に、表示機器１０３は、ログ情報の提供を許可した場合にユーザに提供されるサービスの内容を示すメッセージ画像３０１１を表示してもよい。
【０１３０】
メッセージ画像３０１１には、ログ情報を提供した場合に受けられるサービスが表示される。なお、メッセージ画像３０１１には、ログ情報の提供に関する設定を変更するためのページに移動するためのハイパーテキストが表示されてもよい。
【０１３１】
図１８は、図１６に示す表示画面において、インターネットに接続されていない機器を示す画像上にカーソルが移動された際に表示される画面を示す図である。
【０１３２】
図１８に示すように、ユーザによりマウスカーソル３０１０が、インターネットに接続されていない機器を示す画像３００３ｂの上に移動された際に、表示機器１０３は、インターネットに接続する設定を行うためのページに移動するためのメッセージ画像３０１２を表示してもよい。
【０１３３】
メッセージ画像３０１２には、インターネットに接続する設定を行うためのページに移動するためのページに移動するためのハイパーテキストが表示される。また、メッセージ画像３０１２には、ログ情報を提供する機能を有する機器の購入を促す広告画像が表示されてもよい。なお、ここで表示される広告画像は、図１３に示す広告画像６０４と同じであってもよい。
【０１３４】
図１９は、図１６に示す表示画面において、ユーザが所有していない機器を示す画像上にカーソルが移動された際に表示される画面を示す図である。
【０１３５】
図１９に示すように、ユーザによりマウスカーソル３０１０が、ユーザが所有していない機器を示す画像３００５の上に移動された際に、表示機器１０３は、ログ情報を提供する機能を有する機器の購入を促す広告画像３０１３を表示してもよい。なお、ここで表示される広告画像３０１３は、図１３に示す広告画像６０４と同じであってもよい。
【０１３６】
また、ユーザによりマウスカーソル３０１０が、インターネットに接続できない機器を示す画像３００４の上に移動された際に、表示機器１０３は、ログ情報を提供する機能を有する機器の購入を促す広告画像３０１３を表示してもよい。
【０１３７】
以上、本実施の形態１では、インターネットに接続された機器のうちログ情報を提供すると設定されている機器と、ログ情報を提供しないと設定されている機器とが特定され、それぞれ異なる表示態様で表示される。そのため、ユーザは、家庭などのグループ内の機器のうちログ情報を提供している機器とログ情報を提供していない機器とを簡単に把握できる。ユーザは、各機器のログ情報を提供するか否かの設定内容を確認するために、各機器の操作インターフェースを確認する必要がない。すなわち、各機器に対する設定内容の確認作業という余計な動作を不要にすることができる。また、設定する家電機器の数が多くなった場合でも、設定内容を容易且つ間違えなく確認することが可能となる。
【０１３８】
また、可否情報によってログ情報を提供すると示された機器を示す画像のみならず、可否情報によってログ情報を提供しないと示された機器を示す画像も表示される。そのため、すでにログ情報を提供しないと設定された機器に関して、ログ情報を提供する設定に変更することをユーザに促すこともできる。
【０１３９】
（実施の形態２）
（各装置の構成）
本実施の形態２における各装置の構成は、実施の形態１と同様であるので説明を省略し、以下実施の形態１と同じ符号を用いて説明する。
【０１４０】
（制御システムの構成）
図２０は、本実施の形態２における制御システム７００の構成を示す図である。
【０１４１】
制御システム７００は、可否情報受信部７０１と、コマンド提供部７０２と、ログ情報取得部７０４と、優先順位決定部７０５とを備える。
【０１４２】
ここで、可否情報受信部７０１及びコマンド提供部７０２が行う処理は、実施の形態１における可否情報受信部３０１及びコマンド提供部３０２が行う処理と同様であるので、その説明を省略する。
【０１４３】
ログ情報取得部７０４は、ログ情報をサービス事業者に提供すると示された機器からログ情報を受信する。ログ情報取得部７０４は、グループ１００内の複数の機器１０１のうちログ情報を提供すると設定された各機器からログ情報を取得し、優先順位決定部に出力する。なお、ログ情報を取得する方法はいかなる方法であってもよい。また、ログ情報とは、実施の形態１で説明したとおりである。また、ログ情報取得部７０４は、可否情報受信部７０１から各機器の可否情報を取得し、取得した可否情報に基づいて、ログ情報を提供すると設定されている機器からログ情報を取得してもよい。
【０１４４】
ここで、データセンタ運営会社１１０が保有するクラウドサーバ１１１の制御部２１１がログ情報取得部７０４を有していてもよい。また、サービスプロバイダ１２０が保有するサーバ１２１の制御部２１１がログ情報取得部７０４を有していてもよい。さらに、グループ１００のホームゲートウェイ１０２の制御部２１１がログ情報取得部７０４を有していてもよい。制御部２１１は、通信部２１２及び通信部２０２を介して、複数の機器１０１のうちのログ情報を提供すると設定されている機器のログ情報を取得するために、各部を制御する。また、複数の機器１０１における機器Ａ又は機器Ｂの制御部２０１がログ情報取得部７０４を有していてもよい。この場合は、各機器の制御部２０１がログ情報を取得し、優先順位決定部７０５に出力する。
【０１４５】
優先順位決定部７０５は、受信されたログ情報に基づいて、ログ情報をサービス事業者に提供しないと示された複数の機器のうち、ログ情報をサービス事業者に提供すべき機器の優先順位を決定する。優先順位決定部７０５は、ログ情報取得部７０４から出力されたログ情報及び可否情報受信部７０１から出力された情報に基づいて、ログ情報を提供しないと設定された機器の優先順位を決定する。優先順位とは、ログ情報を提供しないと設定された機器が複数存在する際に、どの機器のログ情報を優先的に提供することが好ましいかを表す順位である。すなわち、優先順位は、ログ情報を提供しないと設定された複数の機器のうち、ログ情報を提供した方が好ましい機器の優先順位を示している。なお、優先順位決定部７０５は、必ずしもログ情報に基づいて優先順位を決定しなくてもよい。例えば、優先順位決定部７０５は、可否情報受信部７０１から出力される情報のみに基づいて、優先順位を決定してもよい。
【０１４６】
ここで、データセンタ運営会社１１０が保有するクラウドサーバ１１１の制御部２１１が優先順位決定部７０５を有していてもよい。また、サービスプロバイダ１２０が保有するサーバ１２１の制御部２１１が優先順位決定部７０５を有していてもよい。さらに、グループ１００のホームゲートウェイ１０２の制御部２１１が優先順位決定部７０５を有していてもよい。
【０１４７】
コマンド提供部７０２は、可否情報によってログ情報を提供すると示された機器を示す第１画像と可否情報によってログ情報を提供しないと示された機器を示す第２画像とを異なる表示態様で表示させる第１のコマンドと、優先順位決定部７０５によって決定された優先順位に応じて第２画像を表示させる第２のコマンドとを、表示機器１０３に提供する。
【０１４８】
ここで、データセンタ運営会社１１０が保有するクラウドサーバ１１１の制御部２１１がコマンド提供部７０２を有していてもよい。また、サービスプロバイダ１２０が保有するサーバ１２１の制御部２１１がコマンド提供部７０２を有していてもよい。さらに、グループ１００のホームゲートウェイ１０２の制御部２１１がコマンド提供部７０２を有していてもよい。
【０１４９】
なお、制御システム７００は、コマンド生成部をさらに備えてもよい。コマンド生成部は、可否情報によってログ情報を提供すると示された機器を示す第１画像と可否情報によってログ情報を提供しないと示された機器を示す第２画像とを異なる表示態様で表示させる第１のコマンドと、優先順位決定部７０５によって決定された優先順位に応じて第２画像を表示させる第２のコマンドとを生成する。
【０１５０】
（制御システムの制御方法についての説明）
図２１は、本実施の形態２の制御システム７００の制御方法を示すフローチャートである。
【０１５１】
まず、可否情報受信部７０１は、ログ情報をサービス事業者に提供するか否かを示す可否情報を複数の機器１０１の各々から受信する（ステップＳ１１）。
【０１５２】
続いて、ログ情報取得部７０４は、ログ情報を提供すると設定された機器からログ情報を取得する（ステップＳ１２）。
【０１５３】
続いて、優先順位決定部７０５は、取得したログ情報に基づいて、ログ情報を提供しないと設定された機器の優先順位を決定する（ステップＳ１３）。
【０１５４】
続いて、コマンド提供部７０２は、可否情報によってログ情報を提供すると示された機器を示す第１画像と可否情報によってログ情報を提供しないと示された機器を示す第２画像とを互いに異なる表示態様で表示させる第１のコマンドと、優先順位決定部７０５によって決定された優先順位に基づき第２画像を表示させる第２のコマンドとを、表示機器１０３に提供する（ステップＳ１４）。
【０１５５】
（制御システムの動作例）
以下、図２２を用いて、本実施の形態２の制御システムのより具体的な動作例に関して説明する。図２２は、本実施の形態２の制御システムの具体的な動作例を説明するためのシーケンス図である。ここでは、実施の形態１と同様に、機器Ａとしてテレビを想定し、機器Ｂとしてエアコンを想定しているが、これは一例であり、本実施の形態を限定するものではない。
【０１５６】
ステップＳ２０１、Ｓ２０２及びＳ２０３の動作に関しては、実施の形態１の図５におけるステップＳ１０１、Ｓ１０２及びＳ１０３の動作と同様であるので、その説明を省略する。
【０１５７】
ステップＳ２０４において、クラウドサーバ１１１の制御部２１１は、可否情報によってログ情報をサービス事業者に提供すると示された機器を示す第１画像と可否情報によってログ情報をサービス事業者に提供しないと示された機器を示す第２画像とを互いに異なる表示態様で表示する第１のコマンドを生成する。すなわち、クラウドサーバ１１１の制御部２１１は、インターネットへ接続された機器（機器Ａ及び機器Ｂ）のうち、ログ情報を提供すると設定された機器（機器Ａ）と、ログ情報を提供しないと設定された機器（機器Ｂ）とを整理して第１のコマンドを生成する。なお、ステップＳ２０４における第１のコマンドを生成する処理は、図５のステップＳ１０４におけるコマンドを生成する処理と同じである。
【０１５８】
次に、ステップＳ２０５において、クラウドサーバ１１１の通信部２１２は、ログ情報を提供すると設定された機器から、ログ情報を取得する。ここで、ステップＳ２０５の動作は、本実施の形態の制御システム７００におけるログ情報取得部７０４の動作（図２１のステップＳ１２の動作）に相当する。ここでは、複数の機器１０１のうち機器Ａ（テレビ）に関しては可否情報“可”と設定されている。よって、機器Ａの制御部２０１は機器に関するログ情報を取得している。
【０１５９】
クラウドサーバ１１１の制御部２１１は、各機器から取得した可否情報を参照し、ログ情報を提供すると設定されている機器を特定する。そして、クラウドサーバ１１１の通信部２１２は、特定した機器に対し、ログ情報を取得するための取得要求を送信する。機器の通信部２０２は、クラウドサーバ１１１によって送信された取得要求を受信する。機器の制御部２０１は、メモリ２０３に記憶されているログ情報を読み出す。そして、通信部２０２は、読み出されたログ情報をクラウドサーバ１１１へ送信する。クラウドサーバ１１１の通信部２１２は、機器によって送信されたログ情報を受信する。
【０１６０】
図２３は、機器Ａから取得したログ情報の一例を示す図である。ログ情報１０００は、操作が行われた日時、電源のＯＮ／ＯＦＦに関する情報、視聴した番組名（例えば、“ＡＡＡＡ”など）、及び視聴した番組のカテゴリ（例えば、“ニュース”など）を含む。ログ情報１０００では、機器の動作内容が日時毎に整理されている。なお、複数の機器１０１のうちの機器Ａにおける制御部２０１が、図２３に示すようにログ情報を整理してもよいし、クラウドサーバ１１１における制御部２１１が、図２３に示すようにログ情報を整理してもよい。また、クラウドサーバ１１１が取得するログ情報はこれに限られない。
【０１６１】
次に、ステップＳ２０６において、クラウドサーバ１１１の制御部２１１は、取得したログ情報に基づいて、ログ情報を提供しないと設定された機器の優先順位を決定する。ここで、ステップＳ２０６の動作は、本実施の形態の制御システム７００における優先順位決定部７０５の動作（図２１のステップＳ１３の動作）に相当する。以下、優先順位を決定する方法の一例について説明する。
【０１６２】
図２４は、クラウドサーバにおいてログ情報に基づいて生成される情報の一例を示す図である。図２４に示す情報１００１は、複数の機器１０１における機器Ａの視聴傾向を示す情報である。まず、クラウドサーバ１１１の制御部２１１は、ログ情報１０００から情報１００１を生成する。情報１００１では、ログ情報１０００に含まれる番組のカテゴリの比率が整理されている。図２４における情報１００１の例では、「バラエティ」に対応するカテゴリの比率が５０％を占めており、「ニュース」に対応するカテゴリの比率が４０％を占め、「ドラマ」に対応するカテゴリの比率が５％を占め、「スポーツ」に対応するカテゴリの比率が５％を占めている。
【０１６３】
そして、制御部２１１は、これらのカテゴリの比率から機器Ａ（テレビ）の視聴傾向を示す視聴傾向パターン１０１１を決定する。ここで、視聴傾向を示す視聴傾向パターン１０１１は、一定の基準をもとにデータセンタ運営会社１１０又はサービスプロバイダ１２０によって設定されており、視聴傾向パターンの設定方法は限定しない。上記のように、制御部２１１は、視聴傾向の高いカテゴリに基づいて視聴傾向パターンを決定してもよい。例えば、「ニュース」の比率が最も高い場合は、視聴傾向パターン“Ａ”に決定され、「スポーツ」の比率が最も高い場合は、視聴傾向パターン“Ｂ”に決定され、「バラエティ」の比率が最も高い場合は、視聴傾向パターン“Ｃ”に決定され、「ドラマ」の比率が最も高い場合は、視聴傾向パターン“Ｄ”に決定される。
【０１６４】
また、制御部２１１は、ユーザの年齢、性別又は居住地域に応じて複数の視聴傾向パターンに分類してもよい。また、情報１００１は、ログ情報１０００から何らかの指標で分類又は整理された情報であればいかなる情報でもよく、図２４に示す情報に限られない。
【０１６５】
図２５は、視聴傾向パターンと機器の優先順位とを対応付けたテーブルの一例を示す図である。図２５に示すテーブル１００２は、視聴傾向を示す視聴傾向パターンのそれぞれに対応する機器の優先順位を示すテーブルである。テーブル１００２では、パターンＡからパターンＤの４つの視聴傾向パターンが示されている。例えば、パターンＣには、スマートフォン、ＰＣ及びエアコンの順に優先順位が設定されている。
【０１６６】
クラウドサーバ１１１の制御部２１１は、テーブル１００２を参照することで、ログ情報に基づいて決定した視聴傾向パターン１０１１に対応する機器の優先順位を決定する。ここでは、ユーザの視聴傾向パターンは、予め規定されている視聴傾向パターンＣに決定され、優先順位は、スマートフォン、ＰＣ及びエアコンの順に決定されている。
【０１６７】
なお、テーブル１００２は、一定の基準をもとにデータセンタ運営会社１１０又はサービスプロバイダ１２０によって設定されるものであり、その設定方法は限定しない。例えば、図２５の例のようにテレビの視聴履歴から得られる視聴パターンによってユーザの嗜好及び生活傾向を分析し、どの機器に関するログ情報を提供してもらえばよりよいサービスが提供できるかを検討した上で、テーブルを作成すればよい。テーブル１００２は、クラウドサーバ１１１又はサーバ１２１内のメインメモリ２１３に保持されている。
【０１６８】
以上の方法で、クラウドサーバ１１１は、ログ情報に基づいて、ログ情報をサービス事業者に提供しないと示された複数の機器のうち、ログ情報をサービス事業者に提供すべき機器の優先順位を設定する。これにより、複数の機器１０１を使用するユーザの嗜好を考慮した上で、ログ情報を提供しないとされている機器のうち、どの機器に対してログ情報の提供を促すべきかを決定することができる。
【０１６９】
なお、優先順位の決定方法は上記の方法に限られない。例えば、クラウドサーバ１１１は、機器から得られるログ情報を用いずに（ステップＳ２０５の処理を行わずに）優先順位を決定してもよい。図２６は、ログ情報を提供する機器と優先順位とを対応付けたテーブルの一例を示す図である。クラウドサーバ１１１の制御部２１１は、図２６に示すテーブル１００３を参照し、ログ情報を提供すると設定された機器に基づいて、どの機器のログ情報の提供を促すべきかを決定してもよい。図２６の例では、ログ情報を提供すると設定された機器にテレビが存在する場合には、スマートフォン、ＰＣ及びエアコンの順に優先順位が決定される。テーブル１００３は、クラウドサーバ１１１又はサーバ１２１内のメインメモリ２１３に保持されている。
【０１７０】
次に、ステップＳ２０７において、クラウドサーバ１１１の制御部２１１は、ログ情報を提供しないと示された機器を示す第２画像を、ステップＳ２０６において決定された優先順位に基づいて表示させる第２のコマンドを生成する。すなわち、クラウドサーバ１１１の制御部２１１は、ログ情報を提供しないと示された機器を表示させる順番を示す第２のコマンドを生成する。
【０１７１】
次に、ステップＳ２０８において、クラウドサーバ１１１の通信部２１２は、可否情報によってログ情報を提供すると示された機器を示す第１画像と可否情報によってログ情報を提供しないと示された機器を示す第２画像とを互いに異なる表示態様で表示機器１０３に表示させる第１のコマンド（コマンド５０４又はコマンド５０５）を、識別子Ａに紐付けられた表示機器１０３に提供する。また、クラウドサーバ１１１の通信部２１２は、ログ情報を提供しないと示された機器を示す第２画像を、ステップＳ２０６において決定された優先順位に基づいて表示させる第２のコマンドを、表示機器１０３に提供する。表示機器１０３は、クラウドサーバ１１１によって送信された第１のコマンド及び第２のコマンドを受信する。
【０１７２】
ここで、ステップＳ２０８の動作は、本実施の形態の制御システム７００におけるコマンド提供部７０２の動作（図２１のステップＳ１４の動作）に相当する。なお、ビジネスの類型によっては、クラウドサーバ１１１はサービスプロバイダ１２０のサーバ１２１に第１のコマンド及び第２のコマンドを提供し、サーバ１２１が、表示機器１０３に第１のコマンド及び第２のコマンドを提供してもよい。ビジネスの類型に関しては後述する。また、ホームゲートウェイ１０２が存在する場合には、クラウドサーバ１１１又はサーバ１２１は、ホームゲートウェイ１０２を経由して第１のコマンド及び第２のコマンドを提供してもよい。
【０１７３】
また、本実施の形態では、クラウドサーバ１１１は、ステップＳ２０４において第１のコマンドを生成した後、ステップＳ２０５においてログ情報を取得しているが、本発明は特にこれに限定されない。クラウドサーバ１１１は、第１のコマンドを生成せずにログ情報を取得し、ステップＳ２０６においてログ情報をサービス事業者に提供しないと示された複数の機器のうちのログ情報をサービス事業者に提供すべき機器の優先順位を決定した後、ステップＳ２０７において第１のコマンド及び第２のコマンドを生成してもよい。
【０１７４】
次に、ステップＳ２０９において、表示機器１０３は、クラウドサーバ１１１から提供された第１のコマンド（コマンド５０４又はコマンド５０５）に基づいて、複数の機器１０１のうちの機器Ａ、機器Ｂ及びその他の機器を示す画像を、情報提供の可否に応じた態様で表示する。また、表示機器１０３は、クラウドサーバ１１１から提供された優先順位に基づき第２画像を表示させる第２のコマンドに基づいて、優先順位を反映させてログ情報を提供しない機器に対応する第２画像を表示する。
【０１７５】
図２７は、本実施の形態２において表示機器１０３に表示される画面の一例を示す図である。本実施の形態２では、実施の形態１と同様に、各機器の可否情報を表示する画面として、サービスプロバイダ１２０の開設する個人用ＷＥＢページが用いられる。実施の形態１と同様、表示機器１０３に各機器の可否情報を表示する画面は、図２７に示すようなＷＥＢページに限らない。
【０１７６】
図２７では、グループ１００の複数の機器１０１内でステップＳ２０３にてインターネットに接続された全ての機器をイメージする画像（アイコン）が表示されている。そして、実施の形態１と同様に、表示機器１０３は、複数の機器１０１のうち機器Ａ（テレビ）、冷蔵庫及び洗濯機などの可否情報によってログ情報を提供すると設定されている機器を示す第１画像６０１と、複数の機器１０１のうち機器Ｂ（エアコン）、ＰＣ及びスマートフォンなどの可否情報によってログ情報を提供しないと設定されている機器を示す第２画像６０２とを互いに異なる表示態様で表示する。すなわち、表示機器１０３は、第１画像６０１の輝度値を、第２画像６０２の輝度値よりも高くする。なお、図２７では、輝度が高い画像を実線で表し、輝度が低い画像を破線で表している。
【０１７７】
また、表示機器１０３は、可否情報によってログ情報を提供しないと設定されている機器を示す第２画像６０２を、ステップＳ２０６で決定した優先順位に応じた順番で表示する。表示機器１０３は、優先順位が高い順に、第２画像６０２を表示画面の左部から右部に向かって表示する。例えば、ログ情報を提供しない機器のうち、優先順位が最も高い機器がスマートフォンであり、優先順位が２番目に高い機器がＰＣであり、優先順位が３番目に高い機器がエアコンである場合、表示機器１０３は、スマートフォンを示す画像６０２ａ、ＰＣを示す画像６０２ｂ及びエアコンを示す画像６０２ｃを、表示画面の左部から右部に向かって順に表示する。
【０１７８】
なお、図２７に示すように、表示機器１０３は、優先順位に応じて第２画像６０２の大きさを変えて表示してもよい。すなわち、表示機器１０３は、第２画像６０２のうち、最も優先順位の高い機器を示す第２画像を最も大きく表示し、優先順位が低くなるにしたがって、第２画像を徐々に小さく表示してもよい。
【０１７９】
なお、決定した優先順位を表示に反映させる方法に関しては図２７に示す例に限られない。例えば、表示機器１０３は、優先順位の最も高い第２画像６０２だけを表示してもよい。
【０１８０】
また、表示機器１０３は、優先順位が高い順に、表示画面の上部から下部に向かって表示してもよい。
【０１８１】
さらに、本実施の形態２において、クラウドサーバ１１１の制御部２１１は、第１のコマンド及び第２のコマンドを生成しているが、本発明は、特にこれに限定されず、第１のコマンド及び第２のコマンドを１つにまとめたコマンドを生成してもよい。例えば、図９のコマンド５０４において、ログ情報を提供しない機器（フラグが“０”である機器）の各々に優先順位を対応付けてもよい。ログ情報を提供しない機器のうち、優先順位が最も高い機器がスマートフォンであり、優先順位が２番目に高い機器がＰＣであり、優先順位が３番目に高い機器がエアコンである場合、スマートフォンには“１”という優先順位を対応付け、ＰＣには“２”という優先順位を対応付け、エアコンには“３”という優先順位を対応付けてもよい。
【０１８２】
以上、本実施の形態２では、複数の機器１０１のうちログ情報を提供すると設定された機器からログ情報を取得し、ログ情報を提供しないと設定された複数の機器に対して、ログ情報の提供を促す優先順位を決定して、表示に反映させている。これにより、サービスプロバイダ１２０が提供したいサービスを実現するために必要となる機器のログ情報の提供を優先的に促すことができる。よって、サービスプロバイダ１２０は各ユーザに最適なサービスを容易に提供することができる。
【０１８３】
（実施の形態３）
（各装置の構成）
本実施の形態３における各装置の構成は、実施の形態１と同様であるので説明を省略し、以下実施の形態１と同じ符号を用いて説明する。
【０１８４】
（制御システムの構成）
図２８は、本実施の形態３における制御システム８００の構成を示す図である。
【０１８５】
制御システム８００は、可否情報受信部８０１と、コマンド提供部８０２と、ログ情報取得部８０４と、サービス決定部８０５とを備える。
【０１８６】
ここで、可否情報受信部８０１及びコマンド提供部８０２が行う処理は、実施の形態１における可否情報受信部３０１及びコマンド提供部３０２が行う処理と同様であるので、その説明を省略する。また、ログ情報取得部８０４が行う処理は、実施の形態２におけるログ情報取得部７０４が行う処理と同様であるので、その説明を省略する。
【０１８７】
サービス決定部８０５は、受信されたログ情報に基づいて、ログ情報をサービス事業者に提供しないと示されている機器が、ログ情報をサービス事業者に提供すると示された際にユーザに提供されるサービスを決定する。サービス決定部８０５は、ログ情報取得部８０４から出力されたログ情報、及び可否情報受信部８０１から出力された可否情報に基づいて、ユーザに提供するサービスを決定する。ユーザに提供するサービスとは、例えば、商品の購入に利用できるポイントの付与、又は商品の購入に利用できる割引チケット等を示し、その内容に関しては特に限定しない。
【０１８８】
ここで、データセンタ運営会社１１０が保有するクラウドサーバ１１１の制御部２１１がサービス決定部８０５を有していてもよい。また、サービスプロバイダ１２０が保有するサーバ１２１の制御部２１１がサービス決定部８０５を有していてもよい。さらに、グループ１００のホームゲートウェイ１０２の制御部２１１がサービス決定部８０５を有していてもよい。
【０１８９】
コマンド提供部８０２は、可否情報によってログ情報を提供すると示された機器を示す第１画像と可否情報によってログ情報を提供しないと示された機器を示す第２画像とを異なる表示態様で表示させる第１のコマンドと、ログ情報を提供しないと設定されている機器の情報提供を許可した際にユーザに提供されるサービスを表示させる第３のコマンドとを、表示機器１０３に提供する。
【０１９０】
ここで、データセンタ運営会社１１０が保有するクラウドサーバ１１１の制御部２１１がコマンド提供部８０２を有していてもよい。また、サービスプロバイダ１２０が保有するサーバ１２１の制御部２１１がコマンド提供部８０２を有していてもよい。さらに、グループ１００のホームゲートウェイ１０２の制御部２１１がコマンド提供部８０２を有していてもよい。
【０１９１】
なお、制御システム８００は、コマンド生成部をさらに備えてもよい。コマンド生成部は、可否情報によってログ情報を提供すると示された機器を示す第１画像と可否情報によってログ情報を提供しないと示された機器を示す第２画像とを異なる表示態様で表示させる第１のコマンドと、ログ情報を提供しないと設定されている機器の情報提供を許可した際にユーザに提供されるサービスを表示させる第３のコマンドとを生成する。
【０１９２】
（制御システムの制御方法についての説明）
図２９は、本実施の形態３の制御システム８００の制御方法を示すフローチャートである。
【０１９３】
まず、可否情報受信部８０１は、ログ情報をサービス事業者に提供するか否かを示す可否情報を複数の機器１０１の各々から受信する（ステップＳ２１）。
【０１９４】
続いて、ログ情報取得部８０４は、ログ情報を提供すると設定された機器からログ情報を取得する（ステップＳ２２）。
【０１９５】
続いて、サービス決定部８０５は、取得したログ情報に基づいて、ユーザに提供するサービスを決定する（ステップＳ２３）。
【０１９６】
続いて、コマンド提供部８０２は、可否情報によってログ情報を提供すると示された機器を示す第１画像と可否情報によってログ情報を提供しないと示された機器を示す第２画像とを互いに異なる表示態様で表示させる第１のコマンドと、ログ情報を提供しないと設定されている機器の情報提供を許可した際にユーザに提供されるサービスを表示させる第３のコマンドとを、表示機器１０３に提供する（ステップＳ２４）。
【０１９７】
（制御システムの動作例）
以下、図３０を用いて、本実施の形態３の制御システムのより具体的な動作例に関して説明する。図３０は、本実施の形態３の制御システムの具体的な動作例を説明するためのシーケンス図である。ここでは、実施の形態１及び実施の形態２と同様に、機器Ａとしてテレビを想定し、機器Ｂとしてエアコンを想定しているが、これは一例であり、本実施の形態を限定するものではない。
【０１９８】
ステップＳ４０１、Ｓ４０２及びＳ４０３の動作に関しては、実施の形態１の図５におけるステップＳ１０１、Ｓ１０２及びＳ１０３の動作と同様であるので、その説明を省略する。また、ステップＳ４０４及びＳ４０５の動作に関しては、実施の形態２の図２２におけるステップＳ２０４及びＳ２０５の動作と同様であるので、その説明を省略する。
【０１９９】
ステップＳ４０６において、クラウドサーバ１１１の制御部２１１は、機器Ａから取得したログ情報を基に、ログ情報を提供しないと設定されている機器がログ情報を提供すると設定された場合にユーザに提供されるサービスを決定する。ここで、ステップＳ４０６の動作は、本実施の形態の制御システム８００におけるサービス決定部８０５の動作（図２９のステップＳ２３の動作）に相当する。以下、サービスの決定方法に関して説明する。
【０２００】
図３１は、サービスを決定するためのテーブル１５００の一例を示す図である。テーブル１５００では、ログ情報の提供を促す対象の機器がスマートフォン及びエアコンであり、既に情報を提供している機器がテレビ及び冷蔵庫である例を示している。なお、サービスを決定するためのテーブル１５００はこの例に限られない。
【０２０１】
ログ情報の提供を促す対象機器がスマートフォンであり、既にログ情報を提供している機器としてテレビが存在する場合、テーブル１５００のようにテレビから得られるユーザの視聴傾向を示す視聴傾向パターンを基にサービスが決定される。視聴傾向パターンとは、実施の形態２で説明した図２４における視聴傾向パターン１０１１と同様であり、例えばユーザがどのカテゴリの番組を多く視聴しているかを示すものである。図３１のテーブル１５００の例では、視聴傾向パターンＡは「スポーツ」のカテゴリが多く視聴されたことを示し、視聴傾向パターンＢは「ドラマ」のカテゴリが多く視聴されたことを示し、視聴傾向パターンＣは「バラエティ」のカテゴリが多く視聴されたことを示している。そして、テーブル１５００では、例えば視聴傾向パターンＡと判断されたテレビのユーザのスマートフォンに対して、スポーツの観戦チケットに関する情報が配信されることを示している。
【０２０２】
すなわち、ユーザの視聴傾向パターンがテレビのログ情報として取得されており、ログ情報を提供しないと設定されているスマートフォンがログ情報を提供すると設定された場合、スマートフォンには、視聴傾向パターンに応じたチケットに関する情報を配信するサービスが提供される。ログ情報をサービス事業者に提供すると示された機器が、テレビである場合、ログ情報は、テレビの視聴履歴を含み、サービスは、視聴履歴から得られる視聴傾向に基づき決定される。
【０２０３】
また、ログ情報の提供を促す対象機器がスマートフォンであり、既に情報を提供している機器として冷蔵庫が存在する場合、テーブル１５００のように冷蔵庫内の食材の在庫状況を基にサービスが決定される。図３１のテーブル１５００の例では、冷蔵庫内の食材のうち在庫がなくなりそうな食材に関する情報を基に、どの店舗のクーポンをスマートフォンに配信するかが示されている。すなわち、冷蔵庫内の食材の在庫状況が冷蔵庫のログ情報として取得されており、ログ情報を提供しないと設定されているスマートフォンがログ情報を提供すると設定された場合、スマートフォンには、在庫がなくなりそうな食材に応じた販売店舗のクーポンに関する情報を配信するサービスが提供される。
【０２０４】
また、ログ情報の提供を促す対象機器がエアコンであり、既に情報を提供している機器としてテレビが存在する場合、テーブル１５００のようにユーザの生活スタイルに合わせたエアコンの運転サービスが決定される。ユーザの生活スタイルに合わせたエアコンの運転サービスとは、例えば実施の形態２の図２３におけるログ情報１０００のように１日のうちのテレビのＯＮ／ＯＦＦ時刻を取得している場合、取得したＯＮ／ＯＦＦ時刻から１週間の生活スタイルを学習することで、最適な時刻（ユーザがテレビを視聴する時刻）に自動でエアコンをＯＮ又はＯＦＦにする等のサービスである。
【０２０５】
すなわち、テレビのＯＮ／ＯＦＦ時刻がテレビのログ情報として取得されており、ログ情報を提供しないと設定されているエアコンがログ情報を提供すると設定された場合、エアコンには、ユーザのテレビの視聴時刻に応じた運転サービスが提供される。
【０２０６】
クラウドサーバ１１１の制御部２１１は、テーブル１５００を参照することで、ログ情報を提供しないと設定されている機器の情報提供を許可した際にユーザに提供されるサービスを決定する。なお、テーブル１５００は、一定の基準を基にデータセンタ運営会社１１０又はサービスプロバイダ１２０によって設定されるものであり、その設定方法は限定しない。テーブル１５００は、クラウドサーバ１１１又はサーバ１２１内のメインメモリ２１３に保持されている。
【０２０７】
以上の方法によって、ログ情報を基にユーザに提供するサービスが決定される。これにより、ユーザの嗜好に合わせた最適なサービスが提供できる。なお、サービスの決定方法はログ情報を基に決定するものであればこれに限られない。
【０２０８】
次に、ステップＳ４０７において、クラウドサーバ１１１の制御部２１１は、ステップＳ４０６で決定されたサービスを表示させるための第３のコマンドを生成する。すなわち、クラウドサーバ１１１の制御部２１１は、ログ情報を提供しないと設定されている機器の情報提供を許可した際にユーザに提供されるサービスを表示させるための第３のコマンドを生成する。
【０２０９】
次に、ステップＳ２０８において、クラウドサーバ１１１の通信部２１２は、可否情報によってログ情報を提供すると示された機器を示す第１画像と可否情報によってログ情報を提供しないと示された機器を示す第２画像とを互いに異なる表示態様で表示機器１０３に表示させる第１のコマンド（コマンド５０４又はコマンド５０５）を、識別子Ａに紐付けられた表示機器１０３に提供する。また、クラウドサーバ１１１の通信部２１２は、ログ情報を提供しないと設定されている機器の情報提供を許可した際にユーザに提供されるサービスを表示機器１０３に表示させる第３のコマンドを、識別子Ａに紐付けられた表示機器１０３に提供する。表示機器１０３は、クラウドサーバ１１１によって送信された第１のコマンド及び第３のコマンドを受信する。
【０２１０】
ここで、ステップＳ２０８の動作は、本実施の形態の制御システム８００におけるコマンド提供部８０２の動作（図２９のステップＳ２４の動作）に相当する。なお、ビジネスの類型によっては、クラウドサーバ１１１はサービスプロバイダ１２０のサーバ１２１に第１のコマンド及び第３のコマンドを送り、サーバ１２１が、表示機器１０３に第１のコマンド及び第３のコマンドを提供してもよい。ビジネスの類型に関しては後述する。また、ホームゲートウェイ１０２が存在する場合には、クラウドサーバ１１１又はサーバ１２１は、ホームゲートウェイ１０２を経由して第１のコマンド及び第３のコマンドを提供してもよい。
【０２１１】
また、本実施の形態では、クラウドサーバ１１１は、ステップＳ４０４において第１のコマンドを生成した後、ステップＳ４０５においてログ情報を取得しているが、本発明は特にこれに限定されない。クラウドサーバ１１１は、第１のコマンドを生成せずにログ情報を取得し、ステップＳ４０６においてログ情報を提供しないと設定されている機器の情報提供を許可した際にユーザに提供されるサービスを決定した後、ステップＳ４０７において第１のコマンド及び第３のコマンドを生成してもよい。
【０２１２】
次に、ステップＳ４０９において、表示機器１０３は、クラウドサーバ１１１から提供された第１のコマンド（コマンド５０４又はコマンド５０５）に基づいて、複数の機器１０１のうちの機器Ａ、機器Ｂ及びその他の機器を示す画像を、情報提供の可否に応じた態様で表示する。また、表示機器１０３は、クラウドサーバ１１１から提供されたサービスを表示させる第３のコマンドに基づいて、ログ情報を提供しないと設定されている機器の情報提供を許可した際にユーザに提供されるサービスを表示する。
【０２１３】
図３２は、本実施の形態３において表示機器１０３に表示される画面の一例を示す図である。本実施の形態３では、実施の形態１と同様に、各機器の可否情報を表示する画面として、サービスプロバイダ１２０の開設する個人用ＷＥＢページが用いられる。実施の形態１と同様、表示機器１０３に各機器の可否情報を表示する画面は、図３２に示すようなＷＥＢページに限らない。
【０２１４】
図３２では、グループ１００の複数の機器１０１内でステップＳ４０３にてインターネットに接続された全ての機器をイメージする画像（アイコン）が表示されている。そして、実施の形態１と同様に、表示機器１０３は、複数の機器１０１のうち機器Ａ（テレビ）、冷蔵庫及び洗濯機などの可否情報によってログ情報を提供すると設定されている機器を示す第１画像６０１と、複数の機器１０１のうち機器Ｂ（エアコン）、ＰＣ及びスマートフォンなどの可否情報によってログ情報を提供しないと設定されている機器を示す第２画像６０２とを互いに異なる表示態様で表示する。すなわち、表示機器１０３は、第１画像６０１の輝度値を、第２画像６０２の輝度値よりも高くする。なお、図３２では、輝度が高い画像を実線で表し、輝度が低い画像を破線で表している。
【０２１５】
また、表示機器１０３は、可否情報によってログ情報を提供しないと示されている機器に対して、情報提供の許可を促すための情報１６００を表示する。ここでは、表示機器１０３は、「登録機器を増やしませんか？」という文章を表示することにより、ユーザを誘導している。そして、表示機器１０３は、「もしあなたが以下の機器の登録をしてくれたらこんないいことがあります」という文章の後に、図３０のステップＳ４０６における処理によって決定されたサービスを表示している。
【０２１６】
ここで、クラウドサーバ１１１は、図３０のステップＳ４０６における処理にてサービスを決定する根拠となったログ情報をユーザに提示するように表示機器１０３を制御してもよい。
【０２１７】
図３３は、スマートフォンのログ情報の提供が許可された場合に提供されるサービスを決定する際にテレビ及び冷蔵庫から取得したログ情報を表示する画面の一例を示す図であり、図３４は、エアコンのログ情報の提供が許可された場合に提供されるサービスを決定する際にテレビから取得したログ情報を表示する画面の一例を示す図である。
【０２１８】
例えば、図３３では、スマートフォンに対しログ情報を提供してもよいと設定した場合に提供されるサービスを決定する根拠となった、テレビ及び冷蔵庫から得られたログ情報を示している。ユーザは、ＷＥＢ画面（図３２）上に表示されたボタン１６０１をクリックすることで図３３に示すＷＥＢ画面を確認することができる。表示機器１０３は、ＷＥＢ画面（図３２）上に表示された第１のボタン１６０１の選択を受け付け、ユーザにより第１のボタン１６０１がクリックされると、図３３に示すＷＥＢ画面をクラウドサーバ１１１から取得して表示する。
【０２１９】
図３３の画面上には、テレビの視聴傾向パターンと、カテゴリごとの視聴比率をグラフ化したイメージとが示されている。また、図３３の画面上には、冷蔵庫内の在庫情報が示されている。
【０２２０】
同様に、図３４では、エアコンに対しログ情報を提供してもよいと設定した場合に提供されるサービスを決定する根拠となった、テレビから得られたログ情報を示している。ユーザは、ＷＥＢ画面（図３２）に表示された第２のボタン１６０２をクリックすることで図３４に示すＷＥＢ画面を確認することができる。表示機器１０３は、ＷＥＢ画面（図３２）上に表示された第２のボタン１６０２の選択を受け付け、ユーザにより第２のボタン１６０２がクリックされると、図３４に示すＷＥＢ画面をクラウドサーバ１１１から取得して表示する。
【０２２１】
例えば図３４の画面上には、曜日ごとにその日に最初にテレビをＯＮにした時刻の平均時刻と、最後にテレビをＯＦＦした時刻の平均時刻とが表示されている。これらによって、ユーザは、自身が所有する家電機器の使用履歴を把握できる。また、ユーザは、情報１６００に示されるサービスが提示される理由を確認することができる。そのため、ユーザへ安心感を与えることもできる。
【０２２２】
以上、本実施の形態３では、複数の機器１０１のうちログ情報を提供すると設定された機器からログ情報を取得し、取得したログ情報に基づいて、ログ情報を提供しないと設定されている機器の情報提供を許可した際にユーザに提供されるサービスが表示される。よって、ユーザに最適なサービス提供をすることができる。また、サービスプロバイダにとっては、ユーザの嗜好に合ったサービスを提示することで、効率的にユーザをサービスに誘導することができる。
【０２２３】
（実施の形態４）
（各装置の構成）
本実施の形態４における各装置の構成は、実施の形態１と同様であるので説明を省略し、以下実施の形態１と同じ符号を用いて説明する。
【０２２４】
図３５は、本実施の形態４における制御システムの全体構成を示す図である。
【０２２５】
本実施の形態４においては、図３５に示すように、情報管理システムは、ユーザ１０，２０の使用する第１の識別子Ａに紐付けられた複数の機器１０１及び表示機器１０３と、ユーザ３０の使用する識別子Ｂに紐付けられた複数の機器１９００及び表示機器１９０３とを備える。第２の識別子Ｂとは第１の識別子Ａと異なる識別子である。複数の機器１９００及び表示機器１９０３の構成は、実施の形態１における複数の機器１０１及び表示機器１０３の構成と同様であるので説明を省略する。識別子と機器とを紐付ける方法は実施の形態１に記載した方法と同様である。第２の識別子Ｂに紐付けられた複数の機器１９００はグループ１００に存在する機器でも、他のグループに存在する機器でもよい。
【０２２６】
（制御システムの構成）
図３６は、本実施の形態４における制御システム９００の構成を示す図である。
【０２２７】
制御システム９００は、可否情報受信部９０１と、コマンド提供部９０２と、関連機器特定部９０４とを備える。
【０２２８】
ここで、可否情報受信部９０１及びコマンド提供部９０２が行う処理は、実施の形態１における可否情報受信部３０１及びコマンド提供部３０２が行う処理と同様であるので、その説明を省略する。
【０２２９】
関連機器特定部９０４は、第１の識別子Ａに紐付けられるとともにログ情報をサービス事業者に提供すると示された第１の機器に関連する第２の識別子Ｂに紐付けられた第２の機器（関連機器）を特定する。関連機器特定部９０４は、可否情報受信部９０１から出力された可否情報を基に、ログ情報を提供すると設定された機器に関する第１の識別子Ａとは異なる第２の識別子Ｂに紐付けられた関連機器を特定する。
【０２３０】
関連機器とは、例えば型番が同じ機器を示す。型番とは、機器の種類を区別するための番号である。また、関連機器とは、同一メーカであるとともに同一種類の機器であってもよい。すなわち、「メーカＡ」の「テレビ」というカテゴリに含まれる機器をすべて関連機器とみなしてもよい。なお、関連機器特定部９０４は、第１の識別子Ａに紐付けられるとともにログ情報をサービス事業者に提供しないと示された機器に関連する第２の識別子Ｂに紐付けられた関連機器を特定してもよい。
【０２３１】
ここで、データセンタ運営会社１１０が保有するクラウドサーバ１１１の制御部２１１が関連機器特定部９０４を有していてもよい。また、サービスプロバイダ１２０が保有するサーバ１２１の制御部２１１が関連機器特定部９０４を有していてもよい。さらに、グループ１００のホームゲートウェイ１０２の制御部２１１が関連機器特定部９０４を有していてもよい。
【０２３２】
コマンド提供部９０２は、可否情報によってログ情報を提供すると示された機器を示す第１画像と可否情報によってログ情報を提供しないと示された機器を示す第２画像とを異なる表示態様で表示させる第１のコマンドと、第２の識別子Ｂに紐付けられた関連機器に関する情報を表示させる第４のコマンドとを、表示機器１０３に提供する。関連機器に関する情報とは、例えば第２の識別子Ｂに紐付けられた関連機器の個数である。
【０２３３】
ここで、データセンタ運営会社１１０が保有するクラウドサーバ１１１の制御部２１１がコマンド提供部９０２を有していてもよい。また、サービスプロバイダ１２０が保有するサーバ１２１の制御部２１１がコマンド提供部９０２を有していてもよい。さらに、グループ１００のホームゲートウェイ１０２の制御部２１１がコマンド提供部９０２を有していてもよい。
【０２３４】
なお、制御システム９００は、コマンド生成部をさらに備えてもよい。コマンド生成部は、可否情報によってログ情報を提供すると示された機器を示す第１画像と可否情報によってログ情報を提供しないと示された機器を示す第２画像とを異なる表示態様で表示させる第１のコマンドと、第２の識別子Ｂに紐付けられた関連機器に関する情報を表示させる第４のコマンドとを生成する。
【０２３５】
（制御システムの制御方法についての説明）
図３７は、本実施の形態４の制御システム９００の制御方法を示すフローチャートである。
【０２３６】
まず、可否情報受信部９０１は、ログ情報をサービス事業者に提供するか否かを示す可否情報を複数の機器１０１の各々から受信する（ステップＳ３１）。
【０２３７】
続いて、関連機器特定部９０４は、ログ情報を提供すると設定された機器に関して他の識別子（第２の識別子Ｂ）に紐付けられた関連機器を特定する（ステップＳ３２）。関連機器特定部９０４は、第１の識別子Ａに紐付けられるとともにログ情報をサービス事業者に提供すると示された第１の機器に関連する第２の識別子Ｂに紐付けられた第２の機器（関連機器）を特定する。
【０２３８】
続いて、コマンド提供部９０２は、可否情報によってログ情報を提供すると示された機器を示す第１画像と可否情報によってログ情報を提供しないと示された機器を示す第２画像とを互いに異なる表示態様で表示させる第１のコマンドと、他の識別子（第２の識別子Ｂ）に紐付けられた関連機器に関する情報を表示させる第４のコマンドとを、表示機器１０３に提供する（ステップＳ３３）。
【０２３９】
（制御システムの動作例）
以下、図３８を用いて、本実施の形態４の制御システムのより具体的な動作例に関して説明する。図３８は、本実施の形態４の制御システムの具体的な動作例を説明するためのシーケンス図である。ここでは、実施の形態１、実施の形態２及び実施の形態３と同様に、機器Ａとしてテレビを想定し、機器Ｂとしてエアコンを想定しているが、これは一例であり、本実施の形態を限定するものではない。また、複数の機器１９００とは、上記した、第１の識別子Ａとは異なる第２の識別子Ｂに紐付けられている機器である。
【０２４０】
ステップＳ６０１、Ｓ６０２及びＳ６０３の動作に関しては、実施の形態１の図５におけるステップＳ１０１、Ｓ１０２及びＳ１０３の動作と同様であるので、その説明を省略する。また、ステップＳ６０４の動作に関しては、実施の形態２の図２２におけるステップＳ２０４の動作と同様であるので、その説明を省略する。
【０２４１】
ここで、ステップＳ６０５において、クラウドサーバ１１１の通信部２１２は、他のグループにおける複数の機器１９００のうちログ情報を提供すると設定された機器Ａに関する型番情報を取得する。なお、ステップＳ６０５の動作は、ステップＳ６０４の動作の後でなくてもよく、クラウドサーバ１１１の通信部２１２は、事前に識別子Ｂに紐付けられた複数の機器１９００から型番情報を取得してもよい。なお、複数の機器１９００から取得する情報は、機器の型番情報でなくてもよく、機器の種類に関する情報又はメーカに関する情報等でもよい。
【０２４２】
また、複数の機器１９００の機器Ａは、インターネットに接続されたタイミングで、可否情報をクラウドサーバ１１１に通知するようにしてもよい。また、クラウドサーバ１１１は、複数の機器１９００の機器Ａがインターネットに接続されたか否かを示す通知を、一定時間ごとに要求することで可否情報を受信してもよい。この際、複数の機器１９００の機器Ａは、可否情報だけでなく、識別子、機器の種類、製造メーカ名及び機器の型番を含む情報（図６の情報５０１）をクラウドサーバ１１１に送信してもよい。これにより、ログ情報を提供すると設定された機器に関する型番情報を要求するステップＳ６０５の動作が不要となる。
【０２４３】
次に、ステップＳ６０６において、クラウドサーバ１１１の制御部２１１は、ログ情報を提供すると設定された機器に関して、他の識別子に紐付けられた関連機器を特定する。ここで、他の識別子とは、複数の機器１０１が第１の識別子Ａに紐付けられている場合、例えば第２の識別子Ｂ又は第１の識別子Ａ以外のあらゆる識別子をさす。ここで、ステップＳ６０６の動作は、本実施の形態の制御システム９００における関連機器特定部９０４の動作（図３７のステップＳ３２の動作）に相当する。
【０２４４】
図３９は、クラウドサーバ１１１によって特定された関連機器に関する情報２０００を示す図である。図３９の例では、“ＸＸＸＸ”というメーカの“Ｔ−ＸＸＸＸＷＴ”という型番のテレビが、識別子Ａ、識別子Ｂ、識別子Ｃ、・・・に紐付けられている。また、それぞれの識別子に対応する機器は、ログ情報を提供すると設定されている。また、これら識別子の合計数２００１が“１２３”と算出されている。また、“ＸＸＸＸ”というメーカの“ＮＸＸＸＸＲ”という型番の洗濯機に関しても、同様に他の識別子が特定され、識別子の合計数が算出されている。
【０２４５】
次に、ステップＳ６０７において、クラウドサーバ１１１の制御部２１１は、第１の識別子Ａに紐付けられるとともにログ情報をサービス事業者に提供すると示された第１の機器に関連する第２の識別子Ｂに紐付けられた第２の機器（関連機器）に関する情報を表示させる第４のコマンドを生成する。すなわち、クラウドサーバ１１１の制御部２１１は、情報２０００に基づいて、他の識別子に紐付けられた関連機器に関する情報を表示させる第４のコマンドを生成する。なお、関連機器に関する情報とは、第１の識別子Ａに紐付けられたログ情報を提供する機器と同じ型番であり、他の識別子に紐付けられている機器の数を示す。クラウドサーバ１１１の制御部２１１は、図３９に示す情報２０００の各機器の識別子の数を集計することにより、関連機器に関する情報を生成する。
【０２４６】
次に、ステップＳ６０８において、クラウドサーバ１１１の通信部２１２は、可否情報によってログ情報を提供すると示された機器を示す第１画像と可否情報によってログ情報を提供しないと示された機器を示す第２画像とを互いに異なる表示態様で表示機器１０３に表示させる第１のコマンド（コマンド５０４又はコマンド５０５）を、第１の識別子Ａに紐付けられた表示機器１０３に提供する。また、クラウドサーバ１１１の通信部２１２は、情報２０００に基づいて生成される他の識別子に紐付けられた関連機器に関する情報を表示機器１０３に表示させる第４のコマンドを、第１の識別子Ａに紐付けられた表示機器１０３に提供する。なお、第４のコマンドとは、例えば識別子の合計数２００１を、テレビを示す第１画像の付近に表示する旨のコマンドである。
【０２４７】
ここで、ステップＳ６０８の動作は、本実施の形態の制御システム９００におけるコマンド提供部９０２の動作（図３７のステップＳ３３の動作）に相当する。なお、ビジネスの類型によっては、クラウドサーバ１１１はサービスプロバイダ１２０のサーバ１２１に第１のコマンド及び第４のコマンドを提供し、サーバ１２１が、表示機器１０３に第１のコマンド及び第４のコマンドを提供してもよい。ビジネスの類型に関しては後述する。また、ホームゲートウェイ１０２が存在する場合には、クラウドサーバ１１１又はサーバ１２１は、ホームゲートウェイ１０２を経由して第１のコマンド及び第４のコマンドを提供してもよい。
【０２４８】
また、本実施の形態では、クラウドサーバ１１１は、ステップＳ６０４において第１のコマンドを生成した後、ステップＳ６０５において型番情報を取得しているが、本発明は特にこれに限定されない。クラウドサーバ１１１は、第１のコマンドを生成せずに型番情報を取得し、ステップＳ６０６において関連機器を特定した後、ステップＳ６０７において第１のコマンド及び第４のコマンドを生成してもよい。
【０２４９】
次に、ステップＳ６０９において、表示機器１０３は、クラウドサーバ１１１から受信した第１のコマンドに基づいて、複数の機器１０１のうちの機器Ａ、機器Ｂ及びその他の機器を示す画像を、情報提供の可否に応じた態様で表示する。また、表示機器１０３は、クラウドサーバ１１１から受信した第４のコマンドに基づいて、他の識別子に紐付けられた関連機器に関する情報を表示する。
【０２５０】
図４０は、本実施の形態４において表示機器１０３に表示される画面の一例を示す図である。本実施の形態４では、実施の形態１と同様に、各機器の可否情報を表示する画面として、サービスプロバイダ１２０の開設する個人用ＷＥＢページが用いられる。実施の形態１と同様、表示機器１０３に各機器の可否情報を表示する画面は、図４０に示すようなＷＥＢページに限らない。
【０２５１】
図４０では、グループ１００の複数の機器１０１内でステップＳ６０３にてインターネットに接続された全ての機器をイメージする画像（アイコン）が表示されている。そして、実施の形態１と同様に、表示機器１０３は、複数の機器１０１のうち機器Ａ（テレビ）、冷蔵庫及び洗濯機などの可否情報によってログ情報を提供すると設定されている機器を示す第１画像６０１と、複数の機器１０１のうち機器Ｂ（エアコン）、ＰＣ及びスマートフォンなどの可否情報によってログ情報を提供しないと設定されている機器を示す第２画像６０２とを互いに異なる表示態様で表示する。すなわち、表示機器１０３は、第１画像６０１の輝度値を、第２画像６０２の輝度値よりも高くする。なお、図４０では、輝度が高い画像を実線で表し、輝度が低い画像を破線で表している。
【０２５２】
ここで、表示機器１０３は、ログ情報を提供する機器の型番と、ステップＳ６０６で特定した他の識別子に紐付けられている機器のうち、ログ情報を提供する機器の合計数とを示す情報２１００を表示する。例えば、テレビの型番が“Ｔ−ＸＸＸＸＷＴ”と表示され、他の識別子に紐付けられているテレビの合計数が、当該型番の付近に“現在１２３人！”と表示されている。この表示により、多数の人がログ情報の提供を許可しているという安心感をユーザに与えることができ、ログ情報を提供しないと設定されている機器に対してログ情報を提供するように促すことができる。
【０２５３】
なお、クラウドサーバ１１１は、可否情報によってログ情報を提供しないと設定されている機器に関しても、機器の型番と、他の識別子に紐付けられている機器のうち、ログ情報を提供する機器の合計数とを示す情報を表示するように制御してもよい。これにより、可否情報によってログ情報を表示しないと設定されている機器に関しても、多数の人がログ情報の提供を許可しているという安心感をユーザに与えることができ、ログ情報を提供しないと設定されている機器に対してログ情報を提供するように促す効果を高めることができる。
【０２５４】
図４１は、本実施の形態４において表示機器１０３に表示される画面の他の例を示す図である。
【０２５５】
図４１に示すように、ＷＥＢサイト内でソーシャル・ネットワーキング・サービス（ＳＮＳ）を構築し、機器に関する可否情報がログ情報を提供すると設定された場合のみに、その機器に関するコミュニティページを閲覧することができるシステムを設けてもよい。ユーザは、画面上に表示されるボタン２２００をクリックすることでコミュニティページを閲覧することができる。コミュニティページでは、ユーザ同士が、同一機器に関する使用方法、又はエラー対応等の情報を共有することができる。また、表示機器１０３は、ログ情報を提供しないと設定されている機器のコミュニティに関する情報２３００を表示してもよい。これにより、ログ情報を提供しないと設定されている機器に対してログ情報を提供するように促すことができる。
【０２５６】
以上、本実施の形態４では、ログ情報を提供すると設定されている関連機器に関する情報が表示されるので、ユーザをサービスへ誘導することができる。
【０２５７】
なお、上記の各実施の形態において、各構成要素は、専用のハードウェアで構成されてもよい。また、各構成要素は、各構成要素に適したソフトウェアプログラムを実行することによって実現されてもよい。各構成要素は、ＣＰＵ又はプロセッサ等のプログラム実行部が、ハードディスク又は半導体メモリ等の記録媒体に記録されたソフトウェアプログラムを読み出して実行することによって実現されてもよい。
【０２５８】
以上、一つ又は複数の態様に係る制御方法及び制御システムについて、実施の形態に基づいて説明したが、本発明は、この実施の形態に限定されるものではない。本発明の趣旨を逸脱しない限り、当業者が思い付く各種変形を本実施の形態に施したものや、異なる実施の形態における構成要素を組み合わせて構築される形態も、一つ又は複数の態様の範囲内に含まれてもよい。
【０２５９】
上記各実施の形態では、複数の機器１０１が一般家庭等で使用される家電機器等である場合について説明したが、複数の機器１０１は、例えば、工場等で使用される工作機器等の産業用機器であってもよい。
【０２６０】
（サービスの類型）
上記全ての実施の形態において説明された技術は、例えば、以下のクラウドサービスの類型において実現されうる。しかし、上記態様において説明された技術が実現されるクラウドサービスの類型はこれに限られるものでない。
【０２６１】
（サービスの類型１：自社データセンタ型クラウドサービス）
図４２は、サービスの類型１（自社データセンタ型クラウドサービス）における情報提供システムが提供するサービスの全体像を示す図である。本類型では、サービスプロバイダ１２０がグループ１００から情報を取得し、ユーザに対してサービスを提供する。本類型では、サービスプロバイダ１２０が、データセンタ運営会社の機能を有している。すなわち、サービスプロバイダ１２０が、ビッグデータを管理するクラウドサーバ２４３を保有している。したがって、データセンタ運営会社は存在しない。
【０２６２】
本類型では、サービスプロバイダ１２０は、データセンタ（クラウドサーバ）２４３を運営及び管理している。また、サービスプロバイダ１２０は、オペレーティングシステム（ＯＳ）２４２及びアプリケーション２４１を管理する。サービスプロバイダ１２０は、サービスプロバイダ１２０が管理するＯＳ２４２及びアプリケーション２４１を用いてサービスを提供する（矢印２４４）。
【０２６３】
（サービスの類型２：ＩａａＳ利用型クラウドサービス）
図４３は、サービスの類型２（ＩａａＳ利用型クラウドサービス）における情報提供システムが提供するサービスの全体像を示す図である。ここで、ＩａａＳとは、インフラストラクチャー・アズ・ア・サービスの略であり、コンピュータシステムを構築及び稼動させるための基盤そのものを、インターネット経由のサービスとして提供するクラウドサービス提供モデルである。
【０２６４】
本類型では、データセンタ運営会社１１０が、データセンタ（クラウドサーバ）２４３を運営及び管理している。また、サービスプロバイダ１２０は、ＯＳ２４２及びアプリケーション２４１を管理する。サービスプロバイダ１２０は、サービスプロバイダ１２０が管理するＯＳ２４２及びアプリケーション２４１を用いてサービスを提供する（矢印２４４）。
【０２６５】
（サービスの類型３：ＰａａＳ利用型クラウドサービス）
図４４は、サービスの類型３（ＰａａＳ利用型クラウドサービス）における情報提供システムが提供するサービスの全体像を示す図である。ここで、ＰａａＳとは、プラットフォーム・アズ・ア・サービスの略であり、ソフトウェアを構築及び稼動させるための土台となるプラットフォームを、インターネット経由のサービスとして提供するクラウドサービス提供モデルである。
【０２６６】
本類型では、データセンタ運営会社１１０は、ＯＳ２４２を管理し、データセンタ（クラウドサーバ）２４３を運営及び管理している。また、サービスプロバイダ１２０は、アプリケーション２４１を管理する。サービスプロバイダ１２０は、データセンタ運営会社１１０が管理するＯＳ２４２及びサービスプロバイダ１２０が管理するアプリケーション２４１を用いてサービスを提供する（矢印２４４）。
【０２６７】
（サービスの類型４：ＳａａＳ利用型クラウドサービス）
図４５は、サービスの類型４（ＳａａＳ利用型クラウドサービス）における情報提供システムが提供するサービスの全体像を示す図である。ここで、ＳａａＳとは、ソフトウェア・アズ・ア・サービスの略である。ＳａａＳ利用型クラウドサービスは、例えば、データセンタ（クラウドサーバ）を保有しているプラットフォーム提供者が提供するアプリケーションを、データセンタ（クラウドサーバ）を保有していない会社又は個人などの利用者がインターネットなどのネットワーク経由で使用できる機能を有するクラウドサービス提供モデルである。
【０２６８】
本類型では、データセンタ運営会社１１０は、アプリケーション２４１を管理し、ＯＳ２４２を管理し、データセンタ（クラウドサーバ）２４３を運営及び管理している。また、サービスプロバイダ１２０は、データセンタ運営会社１１０が管理するＯＳ２４２及びアプリケーション２４１を用いてサービスを提供する（矢印２４４）。
【０２６９】
以上、いずれのクラウドサービスの類型においても、サービスプロバイダ１２０がサービスを提供する。また、例えば、サービスプロバイダ又はデータセンタ運営会社は、ＯＳ、アプリケーション又はビックデータのデータベース等を自ら開発してもよいし、また、第三者に外注させてもよい。
【０２７０】
ここで、以下の変形例についても本願発明に適用できる。
【０２７１】
（変形例１）
変形例１に係る制御方法は、ネットワークを介して複数の機器を制御し、前記複数の機器に関する画像を表示する表示機器を制御する制御方法であって、前記複数の機器の前記ネットワークへの接続を検知し、機器の使用状況に関するログ情報をサービス事業者に提供するか否かを、前記複数の機器ごとに特定し、前記ログ情報をサービス事業者に提供すると設定されている機器に関する画像と、前記ログ情報をサービス事業者に提供しないと設定されている機器に関する画像とを、それぞれ異なる表示方法で表示するように前記表示機器を制御する。
【０２７２】
（変形例２）
変形例２に係る制御システムは、ネットワークを介して複数の機器を制御し、前記複数の機器に関する画像を表示する表示機器を制御する制御システムであって、前記複数の機器の前記ネットワークへの接続を検知する接続検知部と、前記複数の機器について設定されている、機器の使用状況に関するログ情報をサービス事業者に提供するか否かを、前記複数の機器ごとに特定する情報提供特定部と、前記ログ情報をサービス事業者に提供すると設定されている機器に関する画像と、前記ログ情報をサービス事業者に提供しないと設定されている機器に関する画像とを、それぞれ異なる表示方法で表示するように前記表示機器を制御する機器制御部と、を備える。
【０２７３】
（変形例３）
変形例３に係る表示方法は、ネットワークを介してコンピュータと接続する表示機器に、前記コンピュータに接続された複数の機器に関する画像を表示する表示方法であって、前記コンピュータが、前記表示機器以外の複数の機器における前記ネットワークへの接続を検知し、前記コンピュータが、前記複数の機器に設定されている使用状況に関するログ情報をサービス事業者に提供するか否かを特定し、前記表示機器が、前記ログ情報をサービス事業者に提供すると設定されている機器に関する画像を第１の表示態様で表示し、前記表示機器が、前記ログ情報をサービス事業者に提供しないと設定されている機器に関する画像を第２の表示態様で表示する。
【産業上の利用可能性】
【０２７４】
本発明に係る情報管理方法は、ログ情報をサービス事業者に提供している機器とログ情報をサービス事業者に提供していない機器とを容易に把握することができ、ネットワークを介して同一の識別子に紐付けられた複数の機器から前記複数の機器の使用状況に関するログ情報を収集する制御システムにおける情報管理方法として有用である。【０２７５】
また、本発明に係る制御システムは、ログ情報をサービス事業者に提供している機器とログ情報をサービス事業者に提供していない機器とを容易に把握することができ、ネットワークを介して同一の識別子に紐付けられた複数の機器から前記複数の機器の使用状況に関するログ情報を収集する制御システムとして有用である。【０２７６】
また、本発明に係る表示機器の制御方法は、ログ情報をサービス事業者に提供している機器とログ情報をサービス事業者に提供していない機器とを容易に把握することができ、ネットワークを介して同一の識別子に紐付けられた複数の機器から前記複数の機器の使用状況に関するログ情報を収集する制御システムに用いる表示機器の制御方法として有用である。
【図１】
2014119255.tif 000003
【図２】
2014119255.tif 000004
【図３】
2014119255.tif 000005
【図４】
2014119255.tif 000006
【図５】
2014119255.tif 000007
【図６】
2014119255.tif 000008
【図７】
2014119255.tif 000009
【図８】
2014119255.tif 000010
【図９】
2014119255.tif 000011
【図１０】
2014119255.tif 000012
【図１１】
2014119255.tif 000013
【図１２】
2014119255.tif 000014
【図１３】
2014119255.tif 000015
【図１４】
2014119255.tif 000016
【図１５】
2014119255.tif 000017
【図１６】
2014119255.tif 000018
【図１７】
2014119255.tif 000019
【図１８】
2014119255.tif 000020
【図１９】
2014119255.tif 000021
【図２０】
2014119255.tif 000022
【図２１】
2014119255.tif 000023
【図２２】
2014119255.tif 000024
【図２３】
2014119255.tif 000025
【図２４】
2014119255.tif 000026
【図２５】
2014119255.tif 000027
【図２６】
2014119255.tif 000028
【図２７】
2014119255.tif 000029
【図２８】
2014119255.tif 000030
【図２９】
2014119255.tif 000031
【図３０】
2014119255.tif 000032
【図３１】
2014119255.tif 000033
【図３２】
2014119255.tif 000034
【図３３】
2014119255.tif 000035
【図３４】
2014119255.tif 000036
【図３５】
2014119255.tif 000037
【図３６】
2014119255.tif 000038
【図３７】
2014119255.tif 000039
【図３８】
2014119255.tif 000040
【図３９】
2014119255.tif 000041
【図４０】
2014119255.tif 000042
【図４１】
2014119255.tif 000043
【図４２】
2014119255.tif 000044
【図４３】
2014119255.tif 000045
【図４４】
2014119255.tif 000046
【図４５】
2014119255.tif 000047
【手続補正書】
【提出日】平成26年6月18日(2014.6.18)
【手続補正１】
【補正対象書類名】特許請求の範囲
【補正対象項目名】全文
【補正方法】変更
【補正の内容】
【特許請求の範囲】
【請求項１】
ネットワークを介して同一の識別子に紐付けられた複数の機器から前記複数の機器の使用状況に関するログ情報を収集する制御システムにおける情報管理方法であって、
前記ログ情報をサービス事業者に提供するか否かを示す可否情報を前記複数の機器の各々から受信し、
前記可否情報によって前記ログ情報をサービス事業者に提供すると示された機器を示す第１画像と前記可否情報によって前記ログ情報をサービス事業者に提供しないと示された機器を示す第２画像とを互いに異なる表示態様で表示させるコマンドを、前記識別子に紐付けられた表示機器からのアクセスに応じて前記表示機器に提供する、
情報管理方法。
【請求項２】
前記コマンドを生成する、
請求項１記載の情報管理方法。
【請求項３】
前記第１画像及び前記第２画像を互いに異なる表示態様で前記表示機器に表示する、
請求項１又は２記載の情報管理方法。
【請求項４】
前記表示態様は、前記第１画像の輝度と前記第２画像の輝度とを互いに異ならせる、
請求項１〜３のいずれかに記載の情報管理方法。
【請求項５】
前記表示態様は、前記第１画像の大きさと前記第２画像の大きさとを互いに異ならせる、
請求項１〜４のいずれかに記載の情報管理方法。
【請求項６】
前記ログ情報をサービス事業者に提供すると示された機器から前記ログ情報を受信し、
受信された前記ログ情報に基づいて、前記ログ情報をサービス事業者に提供しないと示された複数の機器のうち、前記ログ情報をサービス事業者に提供すべき機器の優先順位を決定し、
決定された前記優先順位に応じて前記第２画像を表示させるコマンドを前記表示機器に提供する、
請求項１〜５のいずれかに記載の情報管理方法。
【請求項７】
前記複数の第２画像は、前記優先順位が高い順に、前記表示機器の表示画面の上部から下部に向かって又は表示画面の左部から右部に向かって表示される、
請求項６記載の情報管理方法。
【請求項８】
前記ログ情報をサービス事業者に提供すると示された機器から前記ログ情報を受信し、
受信された前記ログ情報に基づいて、前記ログ情報をサービス事業者に提供しないと示された機器が、前記ログ情報をサービス事業者に提供すると示された際に前記ユーザに提供されるサービスを決定し、
決定された前記サービスを表示させるコマンドを前記表示機器に提供する、
請求項１〜７のいずれかに記載の情報管理方法。
【請求項９】
前記ログ情報をサービス事業者に提供すると示された機器は、テレビを含み、
前記ログ情報は、前記テレビの視聴履歴を含み、
前記サービスは、前記視聴履歴から得られる視聴傾向に基づき決定される、
請求項８記載の情報管理方法。
【請求項１０】
前記識別子は、第１の識別子と、前記第１の識別子とは異なる第２の識別子とを含み、
前記第１の識別子に紐付けられるとともに前記ログ情報をサービス事業者に提供すると示された第１の機器に関連する前記第２の識別子に紐付けられた第２の機器に関する情報を表示させるコマンドを提供する、
請求項１〜９のいずれかに記載の情報管理方法。
【請求項１１】
前記第１の機器の型番と前記第２の機器の型番とは同一であり、
前記第２の機器に関する情報は、前記第２の機器の個数である、
請求項１０記載の情報管理方法。
【請求項１２】
ネットワークを介して同一の識別子に紐付けられた複数の機器から前記複数の機器の使用状況に関するログ情報を収集する制御システムであって、
前記ログ情報をサービス事業者に提供するか否かを示す可否情報を前記複数の機器の各々から受信する可否情報受信部と、
前記可否情報によって前記ログ情報をサービス事業者に提供すると示された機器を示す第１画像と前記可否情報によって前記ログ情報をサービス事業者に提供しないと示された機器を示す第２画像とを互いに異なる表示態様で表示させるコマンドを、前記識別子に紐付けられた表示機器からのアクセスに応じて前記表示機器に提供するコマンド提供部とを備える、
制御システム。
【請求項１３】
ネットワークを介して同一の識別子に紐付けられた複数の機器から前記複数の機器の使用状況に関するログ情報を収集する制御システムに用いる表示機器の制御方法であって、
前記表示機器に対して、
前記識別子に紐付けられた複数の機器の中で前記ログ情報をサービス事業者に提供する機器を示す情報と、前記識別子に紐付けられた複数の機器の中で前記ログ情報をサービス事業者に提供しない機器を示す情報とを管理するサーバに対して管理内容を確認するための指示を前記識別子に対応するユーザから受け付けさせ、
受け付けた前記指示に基づいて前記サーバにアクセスさせ、
前記アクセスに応じて前記サーバから、前記識別子に紐付けられた複数の機器の中で前記ログ情報をサービス事業者に提供すると示された機器を示す第１画像と、前記識別子に紐付けられた複数の機器の中で前記ログ情報をサービス事業者に提供しないと示された機器を示す第２画像とを互いに異なる表示態様で表示させるコマンドを受信させ、
受信した前記コマンドに基づき、表示画面上に、前記第１画像と前記第２画像とを互いに異なる表示態様で表示させる、
表示機器の制御方法。
【請求項１４】
前記複数の機器の各々からネットワークに接続されているか否かの情報を受信し、
前記ネットワークへ接続されているか否かの情報を、各々の機器を示す前記第１画像及び前記第２画像周辺に併せて表示する、
請求項３記載の情報管理方法。
【請求項１５】
前記複数の機器に関する情報から、前記複数の機器の所有者が所有しておらず、かつ前記ネットワークに接続する機能を有する所定の機器を特定し、
前記所定の機器を示す第３画像を、前記表示機器における前記第１画像及び前記第２画像とは異なる領域に表示する、
請求項３記載の情報管理方法。
【請求項１６】
前記複数の機器の各々が前記ネットワークへ接続されているか否かの情報を、各々の機器を示す前記第１画像及び前記第２画像周辺に併せて表示させる、
請求項１３記載の制御方法。
【請求項１７】
前記複数の機器の所有者が所有しておらず、かつ前記ネットワークに接続する機能を有する所定の機器を示す第３画像を、前記表示機器における前記第１画像及び前記第２画像とは異なる領域に表示させる、
請求項１３記載の制御方法。
【請求項１８】
前記表示機器は、前記表示機器の所有者からの指示を受け付け、
前記表示機器の所有者から、前記表示機器に表示されている機器に関する情報を表示する指示を受け付けた際に、前記第１画像と前記第２画像と前記第３画像とでそれぞれ異なる情報を表示させる、
請求項１７記載の制御方法。
【請求項１９】
前記表示機器の所有者から、前記第２画像に関する情報を表示する指示を受け付けた際には、前記第２画像が示す機器に関して前記ログ情報をサービス事業者に提供することを促す情報を表示させ、
前記表示機器の所有者から、前記第３画像に関する情報を表示する指示を受け付けた際には、前記第３画像が示す機器に関して購入を促す情報を表示させる、
請求項１８記載の制御方法。
【国際調査報告】
2014119255.tif 000048
2014119255.tif 000049
2014119255.tif 000050
2014119255.tif 000051